(57)【特許請求の範囲】
【請求項１】
各々が１回投与分の調合薬（２）を収容したカプセル（３）から調合薬（２）を吸入するための吸入器（１）であって、前記吸入器（１）が、吸入中、前記カプセルを空にするために前記カプセル（３）を受け入れる複数のカプセルチャンバ（４）を有する、吸入器において、
各前記カプセルチャンバは前記カプセル（３）を収容し、
各前記カプセルチャンバ（４）を１回だけ使用でき、
前記カプセルの幅及び長さは、各前記カプセルチャンバ（４）の幅及び長さよりも小さく、前記カプセル（３）は、吸入の際に、前記カプセルチャンバ（４）を通って流れる空気の流れ中で移動可能であり、前記空気は入口（８）から前記カプセルチャンバ（４）に入り、出口（９）から流れ出ており、前記カプセルは、各カプセルチャンバ（４）において前記空気の流れの主方向と垂直に穿孔されており、
前記カプセルチャンバ（４）は、リングを形成し、又は、リングの状態に配列される一方で、前記カプセルチャンバ（４）及び／又は前記カプセル（３）は、半径方向に配向されており、
前記吸入器は、前記カプセルチャンバ（４）内の前記カプセル（３）を開放するために、それぞれの細長い前記カプセル（３）を側方に開放し、前記カプセルを穿通し又は切断して開放するための開放装置（５）を有し、
前記カプセルチャンバ（４）は、穿通要素（６）によって前記カプセル（３）を穿通する少なくとも１つの開口部（７）を有し、前記開口部（７）は、隔膜により再密封可能である、ことを特徴とする吸入器。
【請求項２】
前記カプセルチャンバ（４）は、共通の環状のキャリア（１１）に形成され、又は、共通の環状のキャリア（１１）により形成され、
前記キャリア（１１）は、取り外し可能であり、前記吸入器は複数のキャリア（１１）とともに再利用可能である、請求項１記載の吸入器。
【請求項３】
前記カプセルチャンバ（４）は、細長い構造のものであり、空気は、それぞれの前記カプセル（３）を空にすると共に／或いはそれぞれの前記１回投与分の調合薬（２）を放出するために、長手方向に前記カプセルチャンバを通って流れることができることを特徴とする、請求項１又は２に記載の吸入器。
【請求項４】
各前記カプセル（３）が開放された後に、前記カプセル（３）を空にするために、前記カプセル（３）を対応の前記カプセルチャンバ（４）内で前後に動かすことができ、又は揺動又は振動状態にすることができることを特徴とする、請求項１〜３のうちいずれか１項に記載の吸入器。
【請求項５】
前記カプセルチャンバ（４）は、二重リングの状態に配列されていることを特徴とする、請求項１〜４のうちいずれか１項に記載の吸入器。
【請求項６】
前記カプセルチャンバ（４）は、少なくとも入口側及び（又は）出口側が、箔のような共有のカバー（１２）、カバーの部分（１２ａ）によって、又はクロージャ要素、スリーブ又はストッパ（６１）によって閉鎖されていることを特徴とする、請求項１〜５のうちいずれか１項に記載の吸入器。
【請求項７】
前記吸入器はカプセルチャンバ（４）を有する環状のキャリア（１１）を備え、前記カバー（１２）又は前記カバー部分（１２ａ）は、前記キャリヤ（１１）上に設けられると共に／或いは前記カプセルチャンバ（４）に設けられた穿通開口部（７）を覆っていることを特徴とする、請求項６記載の吸入器。
【請求項８】
前記カプセルチャンバ（４）を個々に開くため、開放装置（５）又はフック状若しくはショベル状の開放要素（１８ｄ）を用いて又は少なくとも１つのローラ（１８ａ，１８ｂ）により引き外し又は剥ぎ取り、巻き出し又は巻き取り、穿通し、又は切断することができることを特徴とする、請求項６又は７記載の吸入器。
【請求項９】
前記カプセル（３）を収容した前記カプセルチャンバ（４）は、流体密又はガス密状態で密閉され、密封されると共に／或いは個々に開放できることを特徴とする請求項６〜８のいずれか１項に記載の吸入器。
【請求項１０】
前記マウスピース（１０）は、指先ではじかれ又は前記リングの平面に対して直角にピボット運動させられることができることを特徴とする、請求項１記載の吸入器。
【請求項１１】
前記調合薬（２）は、粉末の形態をしており、前記カプセル（３）は、前記カプセルチャンバ（４）とは別個独立に、気密封止された対応の前記投与分を収容していることを特徴とする、請求項１〜１０のうちいずれか１項に記載の吸入器。
【請求項１２】
前記吸入器（１）は、携帯可能な設計のものであり、前記吸入器（１）は、純粋に機械的に動作することを特徴とする、請求項１〜１１のうちいずれか１項に記載の吸入器。
【請求項１３】
前記吸入器（１）をたった１つの作動要素であるマウスピース（１０）により且つ／或いは回転によってのみ作動させることができることを特徴とする、請求項１〜１２のうちいずれか１項に記載の吸入器。
【請求項１４】
前記吸入器（１）は、カウンタ（４６）を有することを特徴とする、請求項１〜１３のうちいずれか１項に記載の吸入器。
【発明の詳細な説明】
【技術分野】
【０００１】
本発明は、請求項１、請求項１３又は請求項２３の前提部に記載された吸入器に関する。
【０００２】
本発明は、特に、好ましくは粉末状の調合薬の送出又は吸入のための吸入器、即ち、粉末吸入器に関する。しかしながら、調合薬は、理論的には、液相、分散液又は任意他の流動化形態であっても良い。
【背景技術】
【０００３】
調合薬は、特に、治療薬又は薬剤である。したがって、調合薬は特に、少なくとも１種類の有効物質を含み又は少なくとも１種類の有効物質から成る。かくして、調合薬は、薬剤による治療又は他の治療目的に役立つ。
【０００４】
本発明において、調合薬は、カプセル内に入れられ、各カプセルは、１回投与分の調合薬を収容している。かくして、調合薬はあらかじめ決められた投与分又は分量がカプセル内に入れられる。
【０００５】
本発明において、「カプセル」という用語は、主として、固体であり又は少なくとも硬質であり、特に漏れ止めであり、一体であり、密封されると共に（或いは）透過性の被膜を備えていて、特に互いに別個独立に取り扱い可能であると共に開放可能な容器を意味している。別の意味においては、本発明によれば、「カプセル」という用語は、好ましくは、１回投与分の調合薬を収容していて、特に互いに別個独立に取り扱われると共に開放されるべき他の容器、包装材等をも意味している。
【０００６】
欧州特許出願公開第０１４７７５５（Ａ２）号明細書は、細長いカプセルから粉末状薬剤を吸入するための吸入器を開示している。吸入器は、カプセルを手で挿入することができるカプセルチャンバを有している。カプセルをカプセルチャンバ内に設けられた開放装置の手動による作動によってその長手方向側部に沿って穿通し、かくしてこれを開く。吸入中、空気の流れがカプセルチャンバを通って流れることにより、カプセルは、カプセルチャンバ内で前後に動き、その結果、粉末状薬剤が空気の流れに乗って放出されて分散される。本発明は、特にこの原理を利用しているが、調合薬を送出する他の方法にも利用できる。
【０００７】
さらに、独国インゲルハイム所在のベーリンガー・インゲルハイム・ファーマ・ゲーエムベーハー・ウント・シーオー・ケーゲー（Boehringer Ingelheim Pharma GmbH & Co KG）によって製造されている「吸入器Ｍ（inhaler M ）」と呼ばれている吸入器が知られており、この吸入器は、欧州特許出願公開第０１４７７５５（Ａ２）号明細書の開示内容に従って動作し、この吸入器は、手を使ってカプセルを充填することができる６つのカプセルチャンバを備えた回転可能なキャリヤを有している。
【０００８】
国際公開第２００５／０４９１２１（Ａ１）号パンフレットは、特に粉末吸入器内に挿入でき、複数のカプセルを保持する携帯可能なカプセル器具を開示している。円筒形カプセルは、レールにより相前後して直立位置で案内され又はチェーンのように互いに接合される。
【０００９】
他の吸入器が例えば国際公開第９２／０３１７５（Ａ１）号パンフレット、欧州特許出願公開第０４０６８９３（Ａ１）号明細書又は米国特許第５，０４８，５１４（Ａ）号明細書、米国特許第５，５９５，１７５（Ａ）号明細書、米国特許出願公開第２００４／１９８７０８（Ａ１）号明細書、欧州特許出願公開第０６６６０８５（Ａ１）号明細書又は米国特許第５，６７３，６８６（Ａ）号明細書及び独国特許出願公開第１０３００９８２（Ａ１）号明細書又はカナダ国特許出願公開第２，５１３，１３０（Ａ１）号明細書から知られている。
【００１０】
米国特許第２００４／０２３６２８２（Ａ１）号明細書は、粉末状薬剤、特に粉末吸入器のための容器を開示している。この容器は、各投与分のためのコイル部材を有し、このコイル部材の周りにはスリーブが設けられている。特定の投与分は、コイル部材とスリーブとの間の環状空間内に受け入れられる。スリーブは、固有部材と一緒に、密閉されたエンベロープ内に納められる。シールが開くと、スリーブは、固有部材に対して動くことができ、かくして粉末が放出される。この容器は、本発明の意味では、カプセルチャンバ内の密閉状態のカプセルを構成しない。
【００１１】
本発明の目的は、容易な取り扱いを可能にし、構造が単純又はコンパクトであり、調合薬の特に正確な投与、特に確実又は完全な送出を保証すると共に（或いは）手作業で新たなカプセルを挿入しないで多数回の使用を保証する吸入器を提供することにある。
【００１２】
【特許文献１】欧州特許出願公開第０１４７７５５（Ａ２）号明細書
【特許文献２】国際公開第２００５／０４９１２１（Ａ１）号パンフレット
【特許文献３】国際公開第９２／０３１７５（Ａ１）号パンフレット
【特許文献４】欧州特許出願公開第０４０６８９３（Ａ１）号明細書
【特許文献５】米国特許第５，０４８，５１４（Ａ）号明細書
【特許文献６】米国特許第５，５９５，１７５（Ａ）号明細書
【特許文献７】米国特許出願公開第２００４／１９８７０８（Ａ１）号明細書
【特許文献８】欧州特許出願公開第０６６６０８５（Ａ１）号明細書
【特許文献９】米国特許第５，６７３，６８６（Ａ）号明細書
【特許文献１０】独国特許出願公開第１０３００９８２（Ａ１）号明細書
【特許文献１１】カナダ国特許出願公開第２，５１３，１３０（Ａ１）号明細書
【特許文献１２】米国特許第２００４／０２３６２８２（Ａ１）号明細書
【発明の開示】
【００１３】
この目的は、請求項１、請求項１３又は請求項２３記載の吸入器によって達成される。有利な別の特徴は、引用形式（従属形式）の請求項の内容である。
【００１４】
本発明の意味でのカプセルチャンバは、好ましくは、特に細長い又は円筒形のチャンバを有する少なくとも実質的に剛性又は固体の且つ（或いは）細長い容器であり、特定のカプセルを空にするために、かかるカプセルを特に前後に動かすことができ又は振動又は揺動状態にすることができる。
【発明を実施するための最良の形態】
【００１５】
本発明の個々の観点、特徴、性質及び利点は、特許請求の範囲の記載並びに図面を参照して行われる好ましい実施形態及び変形例についての以下の説明から明らかになろう。
【００１６】
図中、同一の参照符号は、関連の説明を繰り返さない場合であっても、同一又は類似の部分について用いられている。特に、同一又は対応の利点及び性質が得られる。個々の図は、大抵の場合、例示の目的又は分かりやすくする目的で縮尺通りには描かれていない。
【００１７】
図１は、好ましい実施形態として提案された吸入器１の構造を分解組立て斜視図で概略的に示している。吸入器１は、好ましくは、携帯可能であるように構成されていて、特に純粋に機械的に動作する。
【００１８】
図２は、上述した意味の好ましくは粉末状の調合薬２をカプセル３から吸入するための組み立て状態の吸入器１を概略断面で示している。
【００１９】
概略断面図では、カプセル３は、吸入器１のカプセルチャンバ４の内側に位置した状態で示されている。カプセル３は、依然として密封され、即ち、依然として開かれていない。
【００２０】
カプセル３は、好ましくは、細長い構造のものである。しかしながら、理論的には、カプセル３は、任意他の適当な形状のものであって良く、例えば球形であって良い。
【００２１】
カプセル３は、理論的には、任意適当な材料で作られて良く又は任意適当な材料から成っていて良い。好ましくは、ゼラチンが、カプセル材料として用いられる。この場合、ゼラチンは、ポリエチレングリコール（ＰＥＧ）、好ましくはＰＥＧ３３５０、グリセロール、ソルビトール、プロピレングリコール、ＰＥＯ−ＰＰＯブロックコポリマー及び他のポリアルコール並びにポリエステルの中から選択された他の添加物との混合物の状態で用いられるのが良い。ゼラチンをＰＥＧ、好ましくはＰＥＧ３３５０との混合物の状態で用いることが特に好ましい。特に好ましくは、ゼラチンカプセル３は、ＰＥＧを１〜１０重量％、好ましくは３重量％から８重量％の量含む。特に好ましくは、ゼラチンカプセル３は、ＰＥＧを４重量％から６重量％の量含み、約５重量％のＰＥＧ含有量が、最も好ましい。ゼラチン含有カプセル材料の場合、カプセル３は、好ましくは、１２重量％未満、最も好ましくは１０重量％以下のＴＥＷＳ又はハロゲン乾燥剤含水率を有する。
【００２２】
セルロース誘導体がカプセル材料として用いられる場合、ヒドロプロピルメチルセルロース、ヒドロキシプロピルセルロース、メチルセルロース、ヒドロキシメチルセルロース及びヒドロキシエチルセルロースを用いることが好ましい。この場合、カプセル材料としてヒドロキシプロピルメチルセルロース（ＨＰＭＣ）を用いることが特に好ましく、最も好ましくはＨＰＭＣが用いられる。セルロース誘導体がカプセル材料として用いられる場合、ＴＥＷＳ又はハロゲン乾燥剤含水度は、好ましくは、８重量％未満、最も好ましくは５重量％未満である。セルロース誘導体で作られたカプセル３を４重量％未満、最も好ましくは２重量％未満のＴＥＷＳ又はハロゲン乾燥剤含水率まで乾燥させ、その後チオトロピウム含有吸入可能粉末をこれに充填することが吸入にとって最も好ましい。
【００２３】
カプセル３にとって適したプラスチック材料は、射出成形又は吹き込み成形及び熱成形による深絞りによって処理可能な任意の薬理学的に許容できるプラスチック及び（又は）カプセルキャップ又はカプセル本体を形成するよう処理されるために離型剤を必要としないプラスチックである。というのは、離型剤は、内容物をカプセル壁にくっつける場合があるからである。プラスチックは又、薬理学的な化学物質、特に肺向けのサイズの粒子への目立った付着性を備えていてはいけない。材料の好ましいショアＤスケール硬度は、好ましくは１０〜８５であり、好ましくは５５〜７５であり、最も好ましくは６０〜７０である。この材料は又、プラスチックカプセル３が、その長手方向軸線に沿って好ましくは最大２０Ｎまでの力に耐えるようなものであるべきである。さらに、カプセル３の壁は、１．３×１０-14ｋｇ／（ｍ2ｓＰａ）未満、好ましくは１．５×１０-16ｋｇ／（ｍ2ｓＰａ）の水蒸気に対する透過度を有するべきである。溶融体粘度ＭＦＲ（溶融体流量）は、好ましくは、４０〜６５ｇ／１０分、好ましくは４５〜４９ｇ／１０分、最も好ましくは５２ｇ／１０分である。
【００２４】
カプセル３は、各々、特に国際公開第００／０７５７２（Ａ２）号パンフレットに開示されているようにカプセル本体と、カプセルキャップとから成るのが良い。したがって、この場合、国際公開第００／０７５７２（Ａ２）号パンフレットの内容全体をしっかりと参照されたい。この二部品構造体では、プラスチックは、特にカプセル材料として用いられる。カプセル本体及びカプセルキャップは、特に、同種材料から成る。これらは、規定された容積の安定性のある密閉キャビティを形成するように互いに接合される。プラスチック、特にポリエチレンを用いることが特に好ましい。カプセル３は、カプセルキャップをカプセル本体にしっかりと取り付けるラッチ止め要素を有するのが良い。
【００２５】
吸入器１は、これを開放するために、開放装置５、特に各々がカプセルチャンバ４又はカプセル３と関連した複数の開放装置５を有している。特に、図示の実施形態では、カプセル３は、側方に開放される。この目的のため、好ましくは細長いカプセル３は、対応の開放装置５の少なくとも１つの穿通要素６、或いは、図示の実施形態では２つの穿通要素６によりカプセルの長手方向側部に沿って又は側方に且つ（或いは）主流れ方向に対して直角をなして穿通され、かくして開放可能である。カプセルチャンバ４は、好ましくは、穿通要素６に対応した穿通開口部７を有している。好ましくは、穿通要素６は、穿通開口部７内の定位置に位置したままであり、これら穿通開口部を密封している。この位置は、特にカプセル３を開放した後及び吸入中、開放装置５によって占められる。
【００２６】
カプセルチャンバ４と関連して、入口８及び出口９が設けられ、かかる入口及び出口は、特に軸方向に又は端面が好ましくは細長い又は円筒形のカプセルチャンバ４に通じている。好ましくは、その幾何学的寸法は、欧州特許出願公開第０１４７７５５（Ａ２）号明細書のデータに一致しており、この欧州特許出願公開明細書をこの点に関し追加の開示内容として引用する。
【００２７】
吸入中、空気又は他の何らかのガスが、入口８を通ってカプセルチャンバ４内に流入し、カプセルチャンバを通って好ましくは反対側の出口９から流出する。空気又はガスのこの流れを吸入中における吸息及び（又は）吸入器１と関連し、ここでは図示していない圧力発生器、例えば空気ポンプ、加圧ガスリザーバ等により生じさせるのが良い。
【００２８】
特に、ベルヌーイ効果の結果として、カプセルチャンバ４を通る空気の流れにより、カプセル３は、特にカプセルチャンバ４内で前後に軸方向に動き又は振動し若しくは揺動する。これにより、特に非常に微細な粒子の形態での空気流中への開放状態のカプセル３からの調合薬２の放出及び空気流中への調合薬の分散が生じ又は助長され、調合薬２は、分散により、出口９を通って送り出され、そして特に隣接のマウスピース１０を通ってユーザ又は患者（図示せず）に投与される。調合薬２の投与（送出）又は分散は、特に、欧州特許出願公開第０１４７７５５（Ａ２）号明細書に記載されているように起こり、この欧州特許出願公開を補完的開示内容としてこの目的のために引用する。しかしながら、調合薬２は、理論的には、任意他の適当な手段によってカプセル３から放出されても良い。
【００２９】
図示の実施形態では、吸入器１は、複数のカプセルチャンバ４を有し、これらカプセルチャンバは各々、カプセル３で満たされ、特に１回だけ用いられる。特に、カプセル３の再充填又は交換は行われない。このことは、キャリヤ１１に工場でカプセル３を備えることができ、その結果、ユーザ又は患者が手を使ってカプセル３を挿入し又はこれらを取り扱うことが不要であることを意味している。
【００３０】
提案された吸入器１は、好ましくは、開放装置５を１つしか備えていない。しかしながら、必要ならば、吸入器１は、特に複数の開放装置５を有しても良く、したがって、各カプセルチャンバ４は、これと関連したそれ自体の別々の開放装置５を有し、或いは、カプセルチャンバ４又はカプセル３は、図２に示すように別々の又は互いに異なる穿通要素６等と関連するようになっている。この場合、開放装置５は、好ましくは、必要に応じてカム、スライダ又は他の装置によって制御でき又は作動できる。図示の実施形態では、開放装置５又は穿通要素６は、カプセルチャンバ４又はキャリヤ１１と一緒に動かされ、好ましくは、これらから取り外すことはできない。
【００３１】
好ましくは、カプセル３及びカプセルチャンバ４は、リングの状態に配列されている。特に、カプセルチャンバ４は、共通の好ましくは環状のキャリヤ１１（図１及び図３ａを比較参照されたい）上に形成され又はこれによって形成される。必要ならばキャリヤ１１を交換することができる。この場合、キャリヤ１１を多数回用いることができ、即ち、キャリヤ１に多くのキャリヤ１１を用いることができる。
【００３２】
この実施形態では、複数のカプセル３が、キャリヤ１１内に納められ、対応した数のカプセルチャンバ４が形成される。
【００３３】
各カプセル３は、好ましくは、１回投与分の調合薬２を収容している。キャリヤ１１が複数のカプセル３を収容することができ、それにより対応した数の投与分を収容することができるので、この吸入器１により、例えば１週間又は数週間若しくは１箇月の間、ユーザ又は患者への調合薬２、即ち薬剤等の供給を保証できる。
【００３４】
カプセルチャンバ４は、好ましくは、特に、流体密であるように閉鎖され、これらカプセルチャンバは又、好ましくは、ガス密である。例えば、キャリヤ１１は、この目的のために、両端面にオプションとして連続したカバー１２を備え、その結果、一方において入口８及び他方において出口９並びにこれらの中に挿入され若しくは配置された格子１３が、覆われて閉鎖されるようになっている。カバー１２は、特に、適当なシール、箔等である。
【００３５】
図示の実施形態では、カバー１２は、好ましくは、ストリップの形態をしており又は連続設計のものである。しかしながら、必要ならば、個々のカプセルチャンバ４又は入口８及び（又は）出口９について別々のカバーを設けても良い。例えばカバー１２のセグメント設計も又可能である。
【００３６】
好ましくは、穿通開口部７も又、当初、図示していない壁部分、プラグ、カバー等によって閉鎖され、場合によっては、１つ又は複数のカバー１２等によっても閉鎖されている。
【００３７】
カプセル３が収納されたカプセルチャンバ４は、それに応じて、好ましくは、気密封止される。これにより、長期間にわたる貯蔵が可能である。というのは、カプセル３は、環境による影響、特に対湿度又は大気汚染の激変から最適に保護されるからである。
【００３８】
図示の実施形態では、吸入器１は、特にキャリヤ１１及び特にカバーとしてマウスピース１０を備えた上側ハウジング部品１５を収容する下側ハウジング部品１４を有している。
【００３９】
組み立て状態の吸入器１では、キャリヤ１１を段階的に前進させることができ、その結果、次の吸入に用いることが意図されたカプセル３又はカプセルチャンバ４は、吸入位置、この場合、マウスピース１０の下側に動くことができるようになっている。この場合、キャリヤ１１の回転によるこの位置への運動中、吸入位置に動いているカプセルチャンバ４は、好ましくは、例えば１つ又は複数のカバー１２を対応の入口８及び出口９から引き離すことにより個々に開かれる。これは、好ましくは、吸入器１内に設けられる対応の機構体、装置等によって自動的に行われる。変形例として、入口８及び出口９の開放は、吸入位置でのみ生じても良い。
【００４０】
カプセルチャンバ４の好ましくは個々の開放は、例えば、１つ又は複数のカバー１２を次々に引き外し又は剥ぎ取り、巻き又はコイル状にすることにより実施できる。しかしながら、カバー１２又は各カプセルチャンバ４は、任意他の適当な方法で開かれても良い。例えば、カバー１２を半径方向内方に又は外方に及び（又は）軸方向に、特に第１の実施形態において提供されたような環状配列状態で引き、押し、剥ぎ取り又はこれらとは違ったやり方で動かし、取り除き又は取り外すことも可能である。
【００４１】
必要ならば、取り除き又は取り外し後、カバー１２を再びくっつけて戻すことができ、例えば、カバーを吸入器１のキャリヤ１１又は別の適当な部品に再び取り付けることができる。例えば、取り外したカバー１２は、吸入中、空気の所望の通過を保証するために穿通開口部７を閉鎖するのに役立っても良い。この目的のため、剥ぎ取ったカバー１２を下に向かってそれぞれの穿通開口部７を覆うようにくっつけても良い。
【００４２】
図示の実施形態では、吸入器１は、入口８を形成し又はこれに隣接して位置し、特にそのばね力により、この場合、軸方向に作用するばね１７によって吸入位置において空気供給側でカプセルチャンバ４に押し付け可能であると共に（或いは）取り付け可能であるコネクタ１６を有する。必要ならば、コネクタ１６は、適当に構成されている場合、それと同時に対応の連結カプセルチャンバ４の開放をも行うことができる。
【００４３】
出口９又は出口チャネル若しくはコネクタを備えたマウスピース１０を、出口側で、対応の仕方で又は他の何らかの適当な仕方で、吸入位置においてそれぞれのカプセルチャンバ４に連結することができ、好ましくは、これに取り付けることができ、特に、ユーザが吸息したとき、カプセルチャンバ４を通って十分な空気の流れが生じ又は吸い込まれ、それによりカプセル３をカプセルチャンバ４内で所望の仕方で運動させ、特に、このように調合薬２の送出を行わせ又は助けるようになっている。
【００４４】
調合薬２の吸入又は放出中、開放装置５は、好ましくは、図２に示すようにその穿通要素６で穿通開口部７を塞いで入口８から出口９への空気の所望の流れを生じさせるようになっている。吸入後、開放装置５を穿通開口部７から完全に引き抜くと、その結果、キャリヤ１１を更に回転させることができ、このようにすると、新たなカプセルチャンバ４を吸入位置に動かすことができるようになる。
【００４５】
しかしながら、カプセル３の穿通又は開放後、穿通開口部７を任意適当な仕方で吸入のために少なくとも一時的に再び密封するのが良い。例えば、穿通開口部７をこれと関連した隔膜（図示せず）によって自動自己密封するよう形成されるのが良く、又は、カプセル３の穿通後、適当なクロージャ要素、例えばストッパ、加圧可能なシール等で少なくとも吸入位置の近くで閉鎖するのが良い。
【００４６】
キャリヤ１１を前進させるため、開放装置５の強調状態の作動のため及び（又は）対応のカプセルチャンバ４を開放するため、好ましくは、適当な特に共有状態の機構体等が設けられるが、これは図示されていない。特に、吸入器１は、手動で作動される。
【００４７】
かかる機構体が適切に設計されている場合、取り扱いが特に容易である。特に、個々のカプセル３を手を使って対応のカプセルチャンバ４内に挿入する必要はない。さらに、適当に設計されている場合、単一の作動要素の作動は、機能の全て、即ち、カプセル３を収容した次のカプセルチャンバ４を吸入位置に前進させ、カプセルチャンバ４を開放し、カプセル３を開放するのに十分な場合がある。
【００４８】
提案されている吸入器１の一利点は、空になった又は使用済みのカプセル３及び使用済みのカプセルチャンバ４を排出したり処分する必要はなく、吸入器１内に収納されてその中に位置したままであるということにある。これにより、これらの取り扱いが非常に簡単になると共にこれらを汎用的に用いることができる。
【００４９】
この実施形態では、カプセル３及び（又は）カプセルチャンバ４は、好ましくは、運動方向に垂直に且つ（或いは）互いに平行に且つ（或いは）少なくとも実質的に軸方向に位置合わせされる。しかしながら、図４、図５又は図６によれば、カプセル３及び（又は）カプセルチャンバ４は、半径方向に位置合わせされても良い。これにより、吸入器１は、特に低い全体的高さを有することができる。必要ならば、カプセルチャンバ４及び（又は）カプセル３をピボット運動させて半径方向位置から吸入のための軸方向位置に又は特にキャリヤ１１がそれに応じて構成されている場合には、吸入位置に動かすことができる。
【００５０】
したがって、上述の説明は、カプセル３が当初カプセルチャンバ４内に配置されておらず、例えば次々にカプセルチャンバ４に供給される場合、カプセル３に当てはまる。
【００５１】
一般に、カバー１２に代えて、カプセルチャンバ４を個々に又はグループをなして若しくはひとまとめに閉鎖するのに他のクロージャ等、例えばストッパ、カバー、ゲート、好ましくは回転式シャッタ、スライダ、スリーブ等を用いることが可能である。
【００５２】
代替的に又は追加的に、個々の状態の又はグループをなした状態のカプセルチャンバ４又は全体としてのキャリヤ１１にこれを包囲する包装材、例えばブリスタ、溶接箔等を施すことが可能である。これは、長い保存寿命を保証するのに役立つ。
【００５３】
この実施形態では、キャリヤ１１は、好ましくは、比較的固形の又は硬質の且つ（或いは）耐拡散性の材料、特に適当なプラスチックで作られる。穿通開口部７は、好ましくは、既にキャリヤ１１内に形成されており、この穿通開口部は、好ましくは、所望の保存寿命を維持し或いはカプセルチャンバ４並びに入口８及び出口９を気密封止するよう覆われる。この目的のため、連続又は供給状態の若しくは別々のカバー（図示せず）をこの場合も又設けるのが良く、穿通開口部７は、この場合、好ましくは、連続的に開かれ、即ち、特定のカプセルチャンバ４の開口部だけが開かれる。穿通開口部７をキャリヤ１１の製造中に形成する代わりに、理論的には、穿通開口部７を個々のカプセルの開放中、穿通要素６等だけで形成することも可能である。この目的のため、穿通要素６は、例えば、キャリヤ１１の対応の弱め又は薄い壁部分を穿通しても良い。変形例として、理論的には、カプセル３を特定のカプセルチャンバ４の入口８及び（又は）出口９から開き、その後カプセルをカプセルチャンバ４内に導入することも可能である。特に、カプセル３は又、軸方向に又はこれらの長手方向側部に沿って開放することも可能である。
【００５４】
図示の実施形態では、カプセル３は、好ましくは、カプセル３を考えられる限り最善の又は最も完全に空にすることができ又はそのようにするために２箇所で開放される。しかしながら、理論的には、カプセル３を空にするためにカプセル３を１箇所又は一領域でのみ開放することも可能である。これは、特に、対応の開口部の寸法形状及び位置、カプセルの形状、チャンバの形状、カプセルの予想運動距離等で決まる。
【００５５】
さらに、理論的には、カプセル３が空にされている間動かず、対応の投与分の調合薬２を例えば開放状態のカプセル３を通る空気の対応の流れ又は空気の放出若しくは例えばカプセル３の完全な開放によって取り出し又は放出することも可能である。
【００５６】
オプションとしての格子は、開放又は穿通プロセスで生じるカプセル断片が例えば、空気の流れに乗って運ばれてマウスピース１０を通って送出されるのを阻止する。カプセルのかかる断片を格子１３により保持して戻すのが良い。代替的に又は追加的に、格子１３は又、カプセル３をカプセルチャンバ４内に保持するのにも役立つ。
【００５７】
格子１３は、好ましくは、特に環状インサート１８によって保持され、この環状インサートは、カプセルチャンバ４の出口側に設けられ又はこの中に挿入される。図示の実施形態では、インサート１８は好ましくは、それと同時に、結果的に出口側における流れ断面積の所望の減少をもたらして所望の流れ条件を達成し、その結果、カプセルチャンバ４内のカプセル３の好ましい長手方向運動が吸入中又は空気若しくはガスが流通しているときに生じるようになっている。
【００５８】
変形例として、連続格子を複数のカプセルチャンバ４又はカプセルチャンバ４の出口側に設けることも可能である。
【００５９】
以下において、幾つかの別の特徴及び追加の実施形態について説明する。第１の実施形態とは異なる本質的な点のみ又は新たな観点を詳細に説明する。特に、これまでに行った説明は、対応した仕方で又は補完的な仕方で引き続き当てはまる。
【００６０】
図３ｂは、カバー１２を開放する好ましい変形例を示している。カバー１２は、好ましくは、箔の形態をしており、第１のローラ１８上で剥ぎ取られ、引き外され又は巻き取られ若しくは好ましくは第２のローラ１８ｂに巻き付けられる。２つのローラ１８ａ，１８ｂは、特に摩擦クラッチ又は歯車装置によって互いに接合されると共に（或いは）好ましくはキャリヤ１１又はカプセルチャンバ４のそれ以上の運動中又はその結果として、歯車装置によって駆動又は回転可能である。
【００６１】
ローラ１８ａ，１８ｂは、吸入器１内に適切に設けられている。
【００６２】
図３ｃは、図３ｂの詳細断面図であり、カプセルチャンバ４又はキャリヤ１１の両側の開放の仕方を示しており、この開放は、好ましくは、少なくとも１つのローラ１８ａ、好ましくは２つのローラ１８ａ，１８ｂによって対応した仕方で行われる。
【００６３】
変形例として、第１のローラ１８ａに代えて、カバーを固定されたローラ、縁部等で引き外し又は剥ぎ取ることも可能である。
【００６４】
図３ｄは、別の実施形態の細部の略図である。カバー１２は、この場合、第２のローラ１８ｂに巻き付けられておらず、好ましくは、第１のローラ１８ａを介して逆方向に回転しているリング１８ｃ上に置かれる。
【００６５】
図３ｅは、別の実施形態を示している。この場合、カバー１２は、好ましくは、開放要素１８ｄによって引き離すことができる個々の小片又はセグメント１２ａで作られている。穿通要素１８ｄは、好ましくは、穿通要素６を引き戻したときに対応のカプセルチャンバ４が開かれ、かくして、いつでも吸入可能な状態になっているように開放装置５に結合されている。
【００６６】
図３ｆの概略断面は、この原理を示している。開放要素１８ｄは、好ましくは、フック状に構成され、好ましくは、最初に引き外されるべき対応のカバー部分１２ａに設けられたオプションとしての凹部及び開口部の中に引っ掛かる。図３ｅに示す状態では、図３ｆに矢印で指示されている運動中、対応のカバー部分１２ａは、好ましくは、半径方向内方に引かれ、このようにして、関連のカプセルチャンバ４が開かれる。この状態は、図３ｆに示されている。遅くとも、開放要素１８ｂが図３ｅに示すその開始位置に戻っている間に、引き外されたカバー部分１２ａは、開放要素１８ｄ又はそのフックから離脱状態になるのが良く、好ましくは、図３ｆに示すオプションとしての捕捉容器１８ｅ等内に落ち込み又は配置される。
【００６７】
図３ｇは、別の実施形態の同様な断面図である。この場合、穿通要素１８ｄは、特に、ショベルの形態をしている。好ましくは、穿通要素１８ｄは、対応のカバー部分１２ａの下側でキャリヤに設けられている好ましくは半径方向の溝１８ｆの２つのショベル状端部に側方に係合し、このカバー部分を特に外部から剥ぎ取る。剥ぎ取られ又は引き外されたカバー部分１２ａは、好ましくは、収集容器１８ｅによって受け取られる。
【００６８】
必要ならば、カバー１２は、一体品の状態で作られても良い。この場合、カバー１２は、カバー１２が個々のカバー部分１２ａの状態に切断され又は違ったやり方で分離されるような仕方で好ましくは穿通要素１８ｄの適当な構造により開かれる。ただし、カバー１２が、特にコイル状に巻かれておらず、又は違ったやり方で、連続バンド、ストリップ等として集められないことを条件とする。個々の又は分離可能なカバー部分１２ａの形成を助けるため、必要ならば、カバー１２には、スロットを設け、小穴を設けると共に（或いは）他の脆弱な箇所を設ける。好ましくは、別々の又は明確に区分されたカバー１２又はカバー部分１２ａは、カプセルチャンバ４の一方においては入口側他方においては出口側のために設けられる。しかしながら、理論的には、カプセルチャンバ４の少なくとも対応の入口８及び出口９を覆う共通のカバー１２又は共通のカバー部分１２ａを用いることも可能である。
【００６９】
図４ａは、提案されている吸入器又はアトマイザ１の別の実施形態を略図で示している。カプセル３及びチャンバ４は、好ましくは、半径方向に位置合わせされる。カバー１２は、周囲に沿って配置され、従って、このカバーは、好ましくは、特にローラ１８ａ，１８ｂにより又は他の何らかの適当な仕方で、周囲が剥がされ又は引き離される。
【００７０】
開放装置５は、好ましくは、カプセルチャンバ４の空気供給側又は空気入口側を開放するのにも役立つ。例えばレバー、バー又はフィンガの形態をした良く見受けられる開放装置５は、この目的のために追加の穿通要素６ａを有しており、この追加の穿通要素は、例えば対応のカプセルチャンバ４の入口８を露出させ又は開くために、カバー１２の軸方向側部を穿通することができる。穿通及び（又は）開放運動は、好ましくは、この実施形態では軸方向に起こる。図４ｂは、この場合好ましくは半径方向に延びるマウスピース１０に隣接して吸入位置にある入口及び出口側が依然として閉鎖されたカプセルチャンバ４を示している。
【００７１】
図５ａ〜図５ｃは、別の実施形態を示している。図５ａは、半径方向に位置合わせされたカプセル３及びカプセルチャンバ４を備えたキャリヤ１１を斜視図で示しており、かかるカプセル及びカプセルチャンバは、２つの軸方向平面内で互いに交互に配置され又はずらされている。好ましくは、各カプセルチャンバ４は、開放装置５と関連しており、この開放装置は、特に、レバー又はバーの形態をしており、特に図４ａ及び図４ｂに示す開放装置５と同様に構成されている。全高を軸方向に低く保つことができるようにするため、キャリヤ４は、好ましくは、カプセルチャンバ４相互間で平らな面又は端面の両方に設けられた半径方向溝１８ｆを有し、開放装置５は、図５ｂに拡大詳細図で示されているようにこれら溝の中に延びている。
【００７２】
対応のカプセルチャンバ４の穿通又は開放は、好ましくは、軸方向に生じる。個々の開放装置５は、好ましくは、カム、スライダ１８ｇ等によって作動される。これは、図５ｃの概略断面図で理解できるように、マウスピース１０に設けられ又はマウスピース１０によって形成されることが特に好ましい。
【００７３】
マウスピース１０を半径方向に伸長させ、特に１８０°回転させるのが良い。回転運動により、好ましくは環状のキャリヤ１１は、位置１つ分だけ、即ち、次のカプセルチャンバ４まで回転する。加うるに、マウスピースにより形成された流れチャネル又は出口９は、次の吸入が意図されているカプセルチャンバ４の対応の軸方向平面に回転により動く。マウスピース１０の半径方向運動は、好ましくは、例えば好ましくは半径方向に延びる突出部１８ｈがスライダ１８ｇ内に嵌まり込むことにより特に開放装置５の自動作動又は運動を引き起こす。穿通又は開放は、必要ならば、マウスピース１０を引き出している間又は押し込んでいる間に生じることができる。
【００７４】
図６ａ〜図６ｃは、提案された吸入器１の別の実施形態を示している。カプセルチャンバ４は、好ましくは、互いに逆方向に回転する２つ環状キャリヤ１１内に収容され、これら環状キャリヤ、特に図６ａに示すように、特に半径方向に位置合わせされる。すると、カバー１２の剥ぎ取り又は取り外しが、それに応じて互いに逆方向に、特に上述の実施形態の場合と同様、周辺方向に又は接線方向に起こる。
【００７５】
マウスピース１０を１８０°回転させると、キャリヤ１１は、交互に動き又は回転する。それと同時に、２つのカバー１２は、上述したように、周囲が剥ぎ取られ又は引き外され、好ましくは、コイル状に巻かれる。特にマウスピース１０上のカム、スライダ１８ｇ等によって、特に２つのキャリヤ１１相互間に配置された好ましくは中央の又は共有状態の開放装置５は、作動されてカプセル３及びカプセルチャンバ４の入口８を上側及び下側キャリヤ１１内で交互に開放し又は穿通する。
【００７６】
図７ａ〜図７ｃは、提案されている吸入器１の別の実施形態を概略断面で示している。マウスピース１０をリングの平面に対して直角に、特に垂直に回転させ又は折り返すことができる。この場合、マウスピース１０又はその連結部分は、好ましくは環状の外側輪郭で吸入位置の付近のキャリヤ１１を好ましくは少なくとも実質的に完全に包囲する。図７ａは、マウスピース１０が中央に折り畳まれた保管位置でマウスピース１０を示し、図７ｂは、中間位置を示し、図７ｃは、マウスピース１０を起こし状態で、特に軸方向使用位置で示している。
【００７７】
好ましくは、吸入器１は、マウスピース１０の起こし又は持ち上げの結果として、吸入器１の望ましい作動、特に、キャリヤ１１の前進、カプセル３の開放及び（又は）カプセルチャンバ４の開放が生じるよう例えばカム１８ｉ等のような機構体を有している。必要ならば、キャリヤ１１の前進は、追加的に又は代替的に、マウスピース１０の内方への折り畳み中又はこの内方折り畳みの結果として生じることができる。
【００７８】
マウスピース１０は、必要ならば、９０°又は更に最大２７０°までピボット運動し又は折り畳み可能であるのが良い。好ましくは、マウスピース１０は、その使用位置とその保管位置との両方にラッチ止め状態になる。
【００７９】
図８ａ〜図８ｃは、別の実施形態の非常に概略的な図である。この場合、カプセル３及びカプセルチャンバ４は、幾つかの列をなして、特に２つの互いに異なるアールが軸方向に位置合わせされた状態の２つの同心リングの状態で配置され、かくして、二重リング構造体を形成している。内側カプセルチャンバ４と外側カプセルチャンバ４は、好ましくはこのリングの内側に配置された開放装置５が内側カプセルチャンバ４相互間で穿通要素６により外側カプセルチャンバ４を半径方向に穿通することができるよう好ましくはオフセットしている。それに応じて、穿通チャネル又は開口部は、好ましくは、図８ａに示すように配置されている。二重リング構造体の結果として、カプセルチャンバ４及びカプセル３の数を多くした状態で吸入器１の特にコンパクトな構成が得られる。
【００８０】
マウスピース１０は、好ましくは、ユーザが内側の円又は外側の円上に位置するカプセルチャンバ４及びカプセル３から交互に又は選択的に吸入できるよう構成されている。この目的のため、マウスピース１０は、特に、図８ｂ及び図８ｃの断面図に示されているように回転可能なインサート１９を有する。回転可能なインサート１９に代えて、オプションとして、マウスピース１０は、全体として、回転可能であることも可能であり、特に、マウスピース１０の回転により、キャリヤ１１が前進するようにすることが可能である。また、変形例として、形態が互いに異なる２つの取り入れチャネルをマウスピース１０に形成しても良く、吸入は、外側カプセルチャンバ４か内側カプセルチャンバ４かのいずれかからたった１つのチャネルを通って行われる。
【００８１】
二重リング構造体においても、所望ならば、全てのカプセルチャンバ４について、又はキャリヤ１１の２つの平らな面又は端面の一方において入口８の全て及び他方において出口９の全てについて連続した又は供給状態のカバーを設けることができる。しかしながら、例えば、カバーが、カプセルチャンバ４又は入口８若しくは出口９のたった１つの群を受け持ち、特に２つの同心の、好ましくはストリップ状又は環状のカバーが、各平らな側部に設けられて一方において内側カプセルチャンバ４を覆うと共に他方において外側カプセルチャンバ４を覆うようにすることも可能である。
【００８２】
図９は、提案されている吸入器１の別の実施形態を示す概略断面図である。カプセルチャンバ４は、好ましくは、互いに並んで又は相前後して直線をなしてキャリヤ１１内に配置され又は形成されるが、必要ならば、互いに異なる位置合わせ状態で且つ（或いは）幾つかの方向に配置される。
【００８３】
マウスピース１０は、キャリヤ１１に沿って動くことができ、かかるマウスピースを個々のカプセルチャンバ４又はこれらの出口９上に位置決めすることができる。その目的は、調合薬２をそれぞれのカプセルチャンバ４又はカプセル３から吸入することができるようにすることにある。図９は、分かりやすくするために、任意他の部品又はコンポーネント、例えば開放装置５、好ましくは閉鎖状態のカプセルチャンバ４を開放する手段等を示していない。
【００８４】
カプセルチャンバ４の入口８及び出口９は、必要ならば、マウスピース１０に向いたキャリヤ１１の共通端部で終端し、例えば、チャネルがそれに応じて設計されている場合には、キャリヤ１１の共通端部の少なくとも比較的近くで終端しても良い。これにより、入口８及び出口９について共通のカバーを用いることが容易になると共に（或いは）対応のカプセルチャンバ４の入口８及び出口９の開放を単純化することができる。というのは、例えば入口８及び出口９を開放するのに共通の装置を用いることができるからである。これは、吸入器１の構造をコンパクトに保つのに役立つ。
【００８５】
図１０ａは、カプセルチャンバ４が開かれた状態で未充填状態にある、即ち、カプセル３、カバー１２等が取り付けられていないキャリヤ１１の別の変形実施形態を非常に概略的な略図で示している。この実施形態では、カプセルチャンバ４及びカプセル３は、好ましくは、多数の列又は群を成した状態で配列され、特に流れ方向又は種々のカプセルチャンバ４及びカプセル３の長手方向に関して互いに異なる状態に位置合わせされている。
【００８６】
図１０に示す変形例では、マウスピース１０（図示せず）又は他の送出装置は、好ましくは、キャリヤ１１の軸方向に動くことができると共にキャリヤ１１に対してピボット運動できる。特に、キャリヤ１１は、この目的のために吸入器１（図示せず）内に回転可能に設けられ又は収納されている。
【００８７】
図１０ｂは、キャリヤ１１が多数の列を備え、特に、少なくとも２つの好ましくは互いに平行な列を備えた実施形態を示している。
【００８８】
図示の実施形態では、キャリヤ１１は角柱又はバーの形をしており、或いは、細長く又は十字形である。しかしながら、理論的には、任意他の形状の採用が可能である。
【００８９】
例えば、キャリヤ１１は、円筒形設計のものであっても良い。カプセルチャンバ４は、例えば、キャリヤ１１の任意所望の形状の外面上に、例えば、筒体の外面上に分布して設けられると共に（或いは）層をなして螺旋に又は他の何らかの配列状態で配列されても良い。
【００９０】
上述の実施形態では、吸入器１の多数のカプセルチャンバ４が、共通の、好ましくは硬質又は中実のキャリヤ１１内に形成されている。しかしながら、カプセルチャンバ４は、互いに対して動くことができるよう設計されていても良く、特に、互いに別個であっても良い。
【００９１】
図１１は、別の実施形態として提案された吸入器１を部分開放又は部分切除状態で純粋に略図で示している。本質的な差又は特定の特徴についてのみ以下に説明するが、上述の注意事項及び説明は、対応した仕方で又は補完的な仕方で引き続き当てはまる。
【００９２】
この実施形態では、カプセルチャンバ４は、好ましくは、一度だけ用いられるようになっており、特に、かかるカプセルチャンバ４には工場でカプセル３があらかじめ包装され又は詰め込まれている。しかしながら、カプセルチャンバ４は、互いに固定的に又は剛性的に接合されておらず、特に、共通キャリヤ１１内に形成されているわけではなく、これらカプセルチャンバは、好ましくは、所望ならば互いに分離できるばらばらの又は別々の若しくは可動のユニットであるように設計されている。特に、カプセルチャンバ４は、ストリップ、チェーン又は他の構造体を形成している。
【００９３】
この実施形態では、カプセルチャンバ４は、好ましくは、案内２０、特にレール、チャネル等に沿って吸入器１内で動くことができ又は変位できるように案内される。
【００９４】
カプセルチャンバ４は、原理的には、案内２０によって直接受け入れられるのが良い。しかしながら、図示の実施形態では、個々のカプセルチャンバ４は、好ましくは、案内要素２１内に受け入れられ、これら案内要素は、特に、ゴンドラの形をしており、好ましくは、図１２に示すように吸入のために案内２０内に解除可能に保持される。案内要素２１は、好ましくは、案内２０によって特定の回転位置で案内され（例えば、係合要素２１ａの相互係止係合により）、必要ならば、例えば接合又はラッチ止めにより互いに解除可能に又は解除不能に連結される。
【００９５】
図１３は、吸入器１の考えられる一構造を詳細断面図で示している。カプセルチャンバ４又は案内要素２１は、好ましくは、案内２０により、特に係合要素２１ａを介して頂部及び（又は）底部が案内される。
【００９６】
図示の実施形態では、カプセルチャンバ４は、吸入のために案内要素２１から取り出し可能である。図１３は、出口９又はマウスピース１０がカプセルチャンバ４に隣接した状態でマウスピース１０の真下の吸入位置にあるカプセルチャンバ４を示している。このカプセルチャンバ４は、特に開放装置５又は他の何らかの機構体により、図１３の実施形態の左側に示された関連の案内要素２１から取り出され、それにより、カプセルチャンバ４の入口側及び出口側を開放し、特に穿通によりカプセルチャンバ４が入れられたカプセル３を開放すると共に（或いは）カプセルチャンバ４の入口側及び（又は）出口側を対応の空気又はガス案内に連結する。
【００９７】
図１３は、いつでも吸入可能な状態の吸入位置でカプセルチャンバ４を示している。入口８及び出口９は、開いている。カプセル３は、開放されており、即ち、具体的には既に穿通されている。吸入の際、空気の流れが作られ、この空気流は、カプセルチャンバ４を通過し、それにより、カプセル３からの調合薬２の所望の放出が生じ、即ち、調合薬２は、空気流中に分散され、それにより、特に、調合薬２は、スプレーミスト又は粒子ミストとして送出される。
【００９８】
案内２０に沿うカプセルチャンバ４又は案内要素２１の前進は好ましくは、マウスピース１０を作動させ、特にマウスピース１０を好ましくは吸入方向又は吸入軸線回りに、即ち、図１３の平面の下から上に延びる軸線回りに回転させることにより実施される。しかしながら、カプセルチャンバ４又は案内要素２１の前進は、代替的に又は追加的に、例えばマウスピース１０及び（又は）マウスピース１０の関連のカバー（図示せず）を他の何らかの軸線回りにピボット運動させ又は指先ではじくことにより実施されても良い。対応の機構体は、図示されていないが、当業者にとっては製作するのが簡単である。代替的に又は追加的に、特にカプセルチャンバ４又は案内要素２１を前進させるための別個の作動要素を設けても良い。
【００９９】
特に、以下の順序又は以下の操作が可能である。マウスピース１０を例えば覆いキャップ（図示せず）を閉じた状態で９０°回転させる。その結果、カプセルチャンバ４又は案内要素２１は、位置１つ分だけ動かされる。マウスピース１０が更に回転すると、次のカプセルチャンバ４が特に関連の案内要素２１からマウスピース１０の下の位置に運ばれ、この中に入っているカプセル３が開放され又は穿通される。好ましくは、覆いキャップ（図示せず）は、この時点まではマウスピース１０を露出させるよう指先で上方にはじくことができず、これを指先ではじくことができるのは、マウスピース１０がこの回転位置、例えば初期位置に対して１８０°回転した位置に達した後だけである。
【０１００】
マウスピース１０の覆いキャップを指先で上方にはじくと、開放装置５は、吸入位置に戻り、特に、穿通要素６は、この段階でカプセル３から引っ込められる。いまや、吸入が行われる。
【０１０１】
吸入後、覆いキャップを再び閉鎖する。その結果、開放装置が、オプションとして、この段階でカプセルチャンバ４から完全に引っ込められ、空になったカプセル３を備えたカプセルチャンバ４が、再び露出される。さらに、この結果、関連の案内要素２１によりカプセルチャンバ４を再び受け入れることができる。しかしながら、所望ならば、これは、カプセルチャンバ４、案内要素２１又はチェーンの次の前進中にのみ起こっても良い。
【０１０２】
次の吸入が意図されたカプセルチャンバ４を対応の案内要素２１から吸入位置に動かすことは、例えば、穿通要素６をカプセルチャンバ４中に導入すると同時に又はその直後に開放装置５によって実施できる。
【０１０３】
カプセルチャンバ４及び案内要素２１又はカプセルチャンバ４の連結部、クロージャ、カバー等の構成に応じて、対応の案内要素２１からのカプセルチャンバ４の取り出し又は解除は、吸入が生じるために起こることが必要不可欠であるというわけではない。これとは異なり、吸入位置におけるカプセルチャンバ４又は案内要素２１の対応の開放又は取付けは、吸入中における空気の所望の供給及び取り出しを可能にするために対応のカプセルチャンバ４を取り出さなくても実施できる。
【０１０４】
案内２０、他の案内手段、カプセルチャンバ４及び（又は）案内要素２１の適当な構成により、カプセルチャンバ４の所望の位置合わせ及び位置決めが保証され、或いは、特に穿通要素６を穿通開口部７から次の吸入が意図されたカプセルチャンバ４内に挿入することが可能である。
【０１０５】
必要ならば、カプセルチャンバ４又は案内要素２１は、螺旋設計、蛇行設計、同心設計又は多列設計で、或いは任意他の適当な仕方で構成され又は配置されるのが良く、又、互いに逆方向に動くことができるのが良い。
【０１０６】
図１１〜図１３の実施形態では、カプセルチャンバ４又は案内要素２１は、好ましくは、接合、ラッチ止め又は任意他の適当な方法により解除可能に又は解除不能に互いに接合される。変形例として、カプセルチャンバ４、案内要素２１又はカプセル３は又、互いに連結されず、例えば案内２０によってルーズに案内され又は他の何らかの適当な仕方で吸入器１内に受け入れられても良い。所望ならば、カプセルチャンバ４又は案内要素２１或いはこれにより形成されたチェーン若しくはこのようにして形成されたストリップ等を動かすための駆動装置が、例えば回転十字継手、ピニオン等によって内側、外側、下側又は上から設けられるのが良い。駆動装置は、所望ならば、カプセルチャンバ４又は案内要素２１に直接作用するのが良い。また、変形例として、カプセルチャンバ４又は案内要素２１は、好ましくは共通の若しくは連続した又は包囲するそれ自体駆動される駆動手段、例えばチェーン、ベルト等に取り付けられても良い。
【０１０７】
上述の説明及び注意事項は、カプセル３がカプセルチャンバ４内に収容されず、他のパッケージ内に収納され又は吸入器１内でばらばらの状態であり、その結果、実際の吸入のためにはカプセルチャンバ４内への移送が依然として必要な場合であってもカプセル３にそのまま当てはまる。以下において、この種の幾つかの実施形態を例示的に説明する。
【０１０８】
図１４ａ及び図１４ｂは、特にテーパ又はくびれ部２２が中央領域（ハウジングの中央領域）に設けられた好ましくは腎臓の形をしている提案された吸入器１の一実施形態を示している。図１４ａ及び図１４ｂは、種々の作動状態にある吸入器１の概略断面図である。
【０１０９】
吸入器１は、好ましくは、未使用又は依然として一杯の状態のカプセル３のための第１の受け入れチャンバ２３（カプセルリザーバ）及び使用済み又は空になったカプセル３のための第２の受け入れチャンバ２４を有している。カプセル３は、好ましくは、螺旋、直線又は円周方向配列状態で且つ（或いは）互いに相前後して第１及び（又は）第２の受け入れチャンバ２３，２４内に入れられ、或いは、この受け入れチャンバ又は吸入器１を通って運搬されるのが良い。また、特に、カプセルを多列又は蛇行配列状態で又は任意他の配列状態で保持することも可能である。
【０１１０】
カプセル３は、好ましくは、互いに接合されると共に（或いは）可撓性連結手段又は駆動手段、例えばベルト、プラスチック製ストリップ、ブリスタストリップ等によって動くことができる。しかしながら、カプセル３は又、他の何らかの配列状態で、例えばばらばらの配列状態で又はころ軸受のように入れられると共に（或いは）第２の実施形態に示すように案内２０によって案内されても良い。
【０１１１】
吸入器１は、好ましくは、カプセルチャンバ４をたった１つ有する。カプセルチャンバ４は、これにカプセル３を詰め込むと共に（或いは）これを空にするために開放可能であり、特に、吸入中、その長手方向側部に沿って又は流れ方向に対して直角に開放可能である。カプセルチャンバ４にカプセルを自動的に詰め込むため又はカプセルチャンバ４を空にするために、吸入器１は、特に、充填装置とも呼ばれている装置２５を有している。
【０１１２】
図１４ｃ及び図１４ｄは、提案されている吸入器１の非常に類似した実施形態を示しており、したがって、先の実施形態とは異なる観点のみについて以下に説明する。
【０１１３】
図１４ｃ及び図１４ｄは、カプセルチャンバ４を閉鎖状態で示している。カプセル３は、示されていない。
【０１１４】
案内２０は、好ましくは、カプセル３のための軌道２０ａを形成しており、この軌道は、円周方向ではなく螺旋形である。
【０１１５】
図１４ｃ及び図１４ｄは、特にテーパ２２によって吸入器１の好ましくは腎臓の形をした設計例を示しており、このテーパは、好ましくは、ハウジングの中央の領域に配置されている。これにより、吸入器１は、特に非常に見栄えが良くなると共に掴み又は保持するのが人間工学的になる。
【０１１６】
吸入器１の上側ハウジング部品１５（図示せず）は、好ましくは、マウスピース１０を支持しており、このマウスピースは、カプセルチャンバ４に隣接して上方に位置し、特に、その延長部に設けられている。
【０１１７】
カプセル３は、特に、螺旋配列状態又は任意他の適当な配列状態をなして第１の受け入れチャンバ２３及び（又は）第２の受け入れチャンバ２４内に入れられるようになっている。
【０１１８】
先の実施形態の図１４ａは、カプセル４を開放状態で示している。特にカプセルチャンバ４の中央部分を形成するカプセルチャンバセグメント又は部分２６は、カプセルチャンバ４から出されており又は引き出されている。
【０１１９】
図１５ａ及び図１５ｂは、装置２５の考えられる一実施形態を示す略図である。特に、カプセルチャンバ部分２６のスライダ状の構成が示されている。カプセルチャンバ部分２６は、カプセルチャンバ４の中心軸線又はカプセルチャンバ４内における主流れ方向に対して半径方向に且つ（或いは）図示の実施形態ではカプセル３の主運動方向又はカプセル３の長手方向軸線に直角に動くことができる。
【０１２０】
図１５ａは、装置２５を開放状態で、即ち、カプセルチャンバ部分２６が出された状態で示している。図１５ｂは、装置２５を閉鎖状態で、即ち、カプセルチャンバ４が閉鎖された状態で示している。図１５ｃは、カプセルチャンバ部分２６の考えられる一実施形態を示す斜視図である。
【０１２１】
カプセルチャンバ部分２６を出して特に案内２０又は案内若しくは運動領域又は好ましくはカプセル３のための包囲経路中に入れて伸長状態のカプセルチャンバ部分２６にカプセル３がこれに対応して第１の受け入れチャンバ２３から第２の受け入れチャンバ２４に先に進められているときに、次の吸入が意図されたカプセル３を直接装填し又は詰め込むことができるようになっている。
【０１２２】
すると、装置２５は、特にカプセルチャンバ部分２６の対応の変位又は他の運動により受け入れ状態のカプセル３をカプセルチャンバ４内に運び込む。このように、図１４ｂに示すようにカプセルチャンバ４にカプセル３を詰め込んでカプセルチャンバ４を閉鎖する。
【０１２３】
カプセル３の開放、特に穿通は、所望ならば、装置２５、別個の開放装置２５（図示せず）又は他の適当な手段によって実施できる。特に、開放は、カプセル３がカプセルチャンバ４に運ばれ又はこの中に移送されるときに又はカプセル３がカプセルチャンバ４に到達した後にのみ、即ち、カプセルチャンバ４を閉鎖した後にのみ直接起こり得る。後者の場合、例えばマウスピース１０、マウスピース１０と関連した覆いキャップ（図示せず）等の適当な作動によりカプセル３を吸入直前にのみ開放することも可能である。
【０１２４】
カプセル３を空にした後、即ち、調合薬２の吸入又は送出後、空になった又は使用済みのカプセル３を装置２５（カプセルチャンバ４を空にする）によってカプセルチャンバ４からもう一度取り出す。カプセルチャンバ４のこの取り出し及び開放は、この場合、これに対応してカプセルチャンバ部分２６を空になったカプセル３と一緒に出すことによって行われる。カプセルチャンバ部分２６を引き出し位置に戻した場合、カプセル３を機構体又は駆動装置（図示せず）（例えば、マウスピース１０を回転させ又はピボット運動させることにより）によって、又は吸入器１の他の何らかの作動要素（図示せず）を作動させることにより送り進められる。このように、空のカプセル３を第２の受け入れチャンバ２４内に前進させる。
【０１２５】
この実施形態では、カプセルチャンバ４は、多数回使用される。この結果、吸入器１について特にコンパクトで且つ省スペースの構成が得られ、或いは、吸入器が同一サイズのものであるとすれば、多数のカプセル３を収容することができる。
【０１２６】
カプセルチャンバ４にカプセル３を自動的に充填すること及びカプセルチャンバ４を自動的に空にすることは、取り扱いが非常に簡単且つ特に衛生的であることを意味している。個々のカプセル３を上述したようにカプセルチャンバ４の運搬中又は充填中、所望に応じて開放することができる。この目的のため、対応の開放装置は、オプションとして、移動経路中に固定状態の開放要素、例えばブレード（刃）等を有するのが良く、その結果、カプセル３は、カプセルチャンバ４の充填中、自動的に開放され、例えば長手方向に切断開放される。しかしながら、開放は、カプセル３が第１の受け入れチャンバ２３から取り出されているとき又は他の何らかのリザーバ３１内に送り込まれているときに行われても良い。例えば、各カプセル３を必要ならば個々に包装すると共に（或いは）別の適当な容器内に保持しても良く、この場合、容器の開放若しくは包装又はカプセル３の取り出し及びオプションとしてのカプセル３の同時開放は、好ましくは、個々に行われる。
【０１２７】
図１６ａ及び図１６ｂは、開放装置５及び（又は）充填装置２５の考えられる一設計例を示す吸入器１の細部の概略断面図である。図１６ａは、カプセルチャンバ４を開放状態で示し、図１６ｂは、カプセルチャンバ４を閉鎖状態で示している。
【０１２８】
図示の例では、カプセル３は、好ましくは、カプセルチャンバ４が閉鎖されているときに直接開放され又は穿通される。これは、既に空の又は開放状態のカプセルチャンバ４内に突き出ている穿通要素６によって行われる。カプセルがチャンバ内に入り又はチャンバが閉鎖されると、穿通要素６は、カプセルチャンバ部分２６の穿通開口部７に入り込み、そしてカプセル３を直接開放し又は穿通することができる。吸入のため、次に、穿通要素６を例えばマウスピース１０の開放又は他の何らかの作動によりカプセル３から引き抜く。
【０１２９】
しかしながら、図示のカプセルチャンバ４の構成に代えて、入口又は出口側で特にその長手方向側部に沿って、しかしながら、必要ならばその赤道面内においても、他の何らかの手段により開放することができる構成を用いることも可能である。
【０１３０】
図１７ａ及び図１７ｂは、開放可能なカプセルチャンバ４の別の実施形態の概略断面図である。カプセルチャンバ４は、特に長さ方向に分割され又は少なくとも２つのセグメント又は部品２６で構成され、これらセグメント又は部品を例えばトング状機構体２７によって離して再び一緒にすることができる。図１７ａは、カプセルチャンバ４をその閉鎖状態で示している。図１７ｂは、カプセルチャンバ４をその開放状態で、即ち、２６が互いに遠ざけられた状態で示している。好ましくは、開放は、例えば制御スライダ２８がトング機構体２７を拡張させ、かくしてカプセルチャンバ４を開放することができるようにすることによってばね力に対抗して行われる。
【０１３１】
図１８は、提案されている吸入器１の別の実施形態を純粋に概略的に、部分的に細部の断面図で示している。吸入器１は、好ましくは、幾つかの、少なくとも２つのカプセルチャンバ４を有し、これらカプセルチャンバは、特にリボルバのように回転若しくは運搬手段又はピボット運動装置２９に取り付けられ又はこれによって形成されている。カプセルチャンバ４は、好ましくは、長手方向の広がり又は主流れ方向に平行に延びるピボット運動軸線３０回りにピボット運動できる。この実施形態では、ピボット運動装置２９に取り付けられ又はこのピボット運動装置によって形成されたカプセルチャンバは、多数回使用される。
【０１３２】
２つのカプセルチャンバ４の場合、一方のカプセルチャンバ４を特に入口８及び出口９に連結可能に吸入位置に交互にピボット運動させることができる。すると、他方のカプセルチャンバ４は、好ましくは、カプセルチャンバ４に次の吸入が意図されたカプセル３を装填することができる充填位置を取る。既にあらかじめ空になっているカプセル３を図１８に示すようにこの段階で又は先にカプセルチャンバ４から取り出し、特に排出する。
【０１３３】
好ましくは、カプセルチャンバ４にカプセル３を詰め込み、そしてこれを装置２５により空にし、装置２５は、特に、図１８に示すように運搬要素２５ａを有している。充填及び空にする方向は、矢印Ｐで示されている。特に、カプセルチャンバ４を長手方向又は軸方向に且つ（或いは）好ましくはスライダ状の運搬要素２５ａによって充填したり空にし、かかるスライダ状運搬要素は、これが空になっている又は使用済みのカプセル３を押し出し又は取り出すのと同時にオプションとしてカプセルチャンバ４をクリーニングすることができる。しかしながら、他の構成上の手段及び（又は）充填若しくは排出装置の採用も又、可能である。
【０１３４】
好ましくは、吸入器１は、その１つ又は複数の再使用可能なカプセルチャンバ４をクリーニングするための装置３２を有している。このクリーニング装置３２は、必要ならば、図１８に示すようにカプセルチャンバ４を充填したり空にしたりするための装置２５又はその運搬要素２５ａによって形成でき、かかるクリーニング装置を好ましくは、スライダ等の形態で充填又は排出のためにカプセルチャンバ４内に挿入することができ、かかるクリーニング装置は、それに応じて、好ましくは充填又は排出のたびにカプセルチャンバ４をクリーニングするブラシ又は他のクリーニング要素を備えている。
【０１３５】
図１８に示すカプセルチャンバ４を空にした後、このカプセルチャンバに次のカプセル３を詰め込む。好ましくは、この目的のため、次のカプセル３を運搬要素２５ａによって、充填位置にあるカプセルチャンバ４（図１８の下に位置するカプセルチャンバ）内に押し込み又は挿入する。かくして、図示の実施形態では、クリーニング装置は、装置２５又はその運搬要素２５ａによって形成される。
【０１３６】
ピボット運動装置２９の場合、例えば３つのカプセルチャンバ４が形成されている場合、カプセルチャンバ４が３つの位置、即ち、充填位置、吸入位置及びクリーニング位置（追加の位置）を交互に占める可能性がある。適当な次の回転により、各カプセルチャンバ４は、１つの位置から次の位置に移される。クリーニング位置では、上述したクリーニング装置を用いて、使用済みカプセル３をそれぞれのカプセルチャンバ４から取り出すことができ、そしてカプセルチャンバ４をクリーニングすることができる。
【０１３７】
未使用のカプセル３は、好ましくは、図１８に純粋に概略的に示されているカプセルリザーバ３１から取り出される。このカプセルリザーバ３１は、カプセル３を例えばばらばらの形態で又は任意他の適当な形態で、例えば、積み重ね体、ストリップ、チェーンとして又は別個独立の受け器、ホルダー又はスペース内に入れた状態で収納し又は受け入れることができる。必要ならば、運搬装置等は又、カプセルリザーバ３１に組み込まれると共に（或いは）カプセルチャンバ４を充填する装置２５によって形成される（図１５ａ及び図１５ｂ並びに図１６ａ及び図１６ｂを比較参照されたい）。
【０１３８】
図示の実施形態では、カプセル３は、好ましくは、カプセルリザーバ３１から個々に取り出される。特に、ゲート等を通ってこれらカプセルを取り出すのが良く、その結果、まだ使用されておらず、カプセルリザーバ３１内に入れられているカプセル３は依然として、できる限り気密封止状態のままであり、特に、環境の影響から保護される。
【０１３９】
カプセルリザーバ３１は、特に、マガジンの形態をしているのが良い。このカプセルリザーバは、吸入器１に組み込まれるかこれに結合可能であるかのいずれかである。必要ならば、カプセルリザーバ３１も又、交換可能且つ（或いは）再充填可能である。
【０１４０】
図３９〜図４２を参照して例示として以下に説明するように、カプセルリザーバ３１は、例えば管状構造のものであるのが良く、カプセル３は、例えば、カプセルリザーバ３１の長手方向軸線に平行に位置合わせされ又は収容されるのが良い。
【０１４１】
カプセル３の取り出し又は放出は、個別的に次々に行われるのが良く、或いは場合によっては、バッチの状態で行われても良い。これは、例えば、一例として図３９〜図４２を参照して以下に説明するように、回転機構体、スライダ装置、ばね機構体又は任意他の適当な方法を用いて実施できる。
【０１４２】
カプセルリザーバ３１内に依然として入っているカプセル３を保護するために、取り出し装置又はゲート等を好ましくは再び閉じるのが良い。追加的に又は代替的に、好ましくは、特にカプセル３を過度の湿度から保護するために、乾燥剤がカプセルリザーバ３１内に設けられる。
【０１４３】
代替的に又は追加的に、カプセル３は、追加の外側包装材を更に備えるのが良い。カプセル３は、特に、個々に包まれ又は包装される。
【０１４４】
追加的に又は代替的に、カプセルリザーバ３１はそれ自体、カプセルリザーバ３１が吸入器１内に配置されるまで又はカプセル３が最初に取り出されるときに、開放されない外側包装材を備えても良い。
【０１４５】
使用済み又は空のカプセル３は、好ましくは、先の実施形態の場合と同様、吸入器１により、例えば、第２の受け入れチャンバ内に受け入れられる。しかしながら、使用済み又は空になったカプセル３は、必要ならば、放出されても良い。これにより、吸入器１をよりコンパクトに製作することができる。
【０１４６】
図１９は、提案されている吸入器１の別の実施形態を純粋に概略的な開放状態の平面図で示している。図２０は、吸入器１を概略断面で示している。吸入器１は、好ましくは、各々が複数の回転若しくは運搬手段又はピボット運動装置２９を有する。ピボット運動装置２９のピボット運動軸線３０は、好ましくは、互いに平行に延びている。ピボット運動装置２９は、好ましくは、共通平面内に配置され又は変形例としてオフセットされ、互いに上下に配置され又は重ね合わされる。
【０１４７】
カプセルチャンバ４は、好ましくは、１回だけ用いられるようになっており、特に、これらカプセルチャンバにはあらかじめカプセル３が装填され又は詰め込まれている。カプセルチャンバ４は、好ましくは、特にカバー１２（図示せず）によって密閉されて個々に開放可能である。
【０１４８】
カプセル３及びカプセルチャンバ４の長手方向又は流れ方向は、好ましくは、互いに且つピボット運動軸線３０に平行に延びる。しかしながら、変形例として、これらは、ピボット運動軸線３０に対して横方向に、特に半径方向に延びても良い。
【０１４９】
ピボット運動装置２９は、所望ならば、一緒に回転可能であり又は互いに別個独立に回転可能である。前者の場合、これらピボット運動装置は、例えばこれらの外周部にわたって周辺方向に隣接のピボット運動装置２９に係合でき又は歯車装置により、例えば、図１９に示されると共に図２０の概略断面図に示されているように、遊星歯車装置のように、特にピボット装置２９の太陽歯車２９ａ及び歯車２９ｂにより或いは他の何らかの適当な手段、例えば、包囲ベルト、ストラップ等によって互いに連結されても良い。
【０１５０】
加うるに、ピボット運動装置２９の集成体は、好ましくは、マウスピース１０に対して回転可能であり、したがって、対応のカプセルチャンバ４及びこの中に入っているカプセル３を開放し、そして開放されたカプセル３から調合薬２を放出するために、個々のピボット運動装置２９を次々に吸入位置に運ぶことができるようになっている。構造及び要件に応じて、ピボット運動装置２９のカプセルチャンバ４の全てを吸入のために次々に用い、次に、次のピボット運動装置２９に切り換えるだけで良く、或いは、先ず最初に、各ピボット運動装置２９のカプセルチャンバ４の全てを吸入のために用い、その後、各ピボット運動装置２９の別のカプセルチャンバ４を吸入のために用いるだけで良い。
【０１５１】
図２１及び図２２は、提案されている吸入器１の別の実施形態を示している。図２１では、吸入器１は、運搬状態又は吸入状態にある。図２２は、上側ハウジング部品１５を下側ハウジング部品１４に対して特に９０°回転させると共に好ましくはそれと同時に軸方向に持ち上げた中間状態を示している。一般に、上側ハウジング部品１５及び下側ハウジング部品１４は、吸入器１の任意の好ましくは外部の部品であるのが良い。しかしながら、好ましくは、上側部品１５は、ポットのように下側部品１４に被さり又はその周りに係合し、或いは、その逆の関係が成り立つ。
【０１５２】
図２３は、開放状態に吸入器１の内部構造を部分断面図で概略的に示している。吸入器１は、好ましくは、カプセルチャンバ４を１つしか備えていない。図２３に単に示されているカプセル３は、好ましくは、ストリップ（図示せず）、例えばブリスタストリップ、チェーン等内に保持され、例えば好ましくはスリーブ状の受け器３３内に受け入れられると共に（或いは）運搬装置３４、例えば運搬ホイールによって運搬可能である。
【０１５３】
吸入器１を駆動するため、吸入器１は、特に、関連の歯車３６を備えた制御スリーブ３５を有しており、この歯車３６は、吸入器ハウジング内で回転可能である（図２４〜図２７）。制御スリーブ３５は、好ましくは、特にカプセル３のための軌道又は溝の形態をした案内２０を備え、好ましくは、運搬装置３４、カプセルチャンバ及び（又は）開放装置５（図示せず）を支持している。
【０１５４】
吸入器１は、この場合、特に、断面で示されたカプセルチャンバ４の下方部分として且つ（或いは）プッシュロッドのように構成され、カプセルチャンバ４にカプセル３を詰め込んだりカプセルチャンバを空にしたりするための装置２５の一要素を構成するチャンバ部品２６（図示せず）を更に有している。
【０１５５】
次に、吸入器１を互いに異なる段階で類似の略図で示す図２３〜図２７を参照して、吸入器１の作動方法について説明する。分かりやすくするために、上側部品１５は省かれている。
【０１５６】
図２３に示す運搬又は休息状態では、既に空になった最後のカプセル３は、依然として、カプセルチャンバ４内に存在する。
【０１５７】
ハウジング１４，１５の２つの半部又は部品を互いに対して回転させる。カム又は他の歯車伝動連結方式によって、特に制御スリーブ３５を下側ハウジング部品１４に対して回転させることにより、制御スリーブ３５は、下側ハウジング部品１４から軸方向に持ち上げられる。カプセルチャンバ部品２６は、軌道内のサーチ（search）に沿って動くことができるが、下側ハウジング部品１４に設けられた案内３８によって軸方向に保持される。制御スリーブ３５の軸方向又は持ち上げ運動により、カプセルチャンバ部品２６は、カプセルチャンバ４から軸方向に遠ざかり、特に、プッシュロッド３９（図２５及び図２６）によって受け器３３から引っ込められ、この受け器は、依然としてカプセルチャンバ４内に入っているカプセル３のために設けられている。さらに、初期回転運動中、次のカプセル３を開放し、特に穿通し、このカプセルは、特にストリップ若しくは案内２０内に又は次の受け器３３内に配置されている。
【０１５８】
図２５は、次の回転位置を示している。プッシュロッドをストリップ４４内の空のカプセル３のための受け器３３から更に引っ込める。オプションとして格子１３によっても形成でき又は格子を形成する共に（或いは）かご状の構造のものであるリセット要素４０が、カプセル３に作用し、これを空の受け器３３内に押し戻す。加うるに、穿通要素６等を備えた開放装置５（図示せず）を、既に開放され又は穿通されている次のカプセル３から引っ込める。
【０１５９】
下側ハウジング部品１４に対する上側ハウジング部品１５の回転運動を続行する。図２６は、制御スリーブ３５を下側ハウジング１４に対して既に９０°又は１８０°回転させた状態を示している。プッシュロッド３９又は部品２６は、受け器３３から完全に引っ込められている。空のカプセル３は、カプセルチャンバ４から出されて受け器３３内に戻されている。穿通要素６は、この場合も又、次のカプセル３及び受け器３３から完全に引っ込められている。
【０１６０】
運搬装置３４は、今や、カプセル３又は受け器３３を一ステップだけ前進させ、特に、次の既に開放されたカプセル３を開放状態のカプセルチャンバ４の下に又はこの中に動かす。これは、特に、カプセル３又は受け器３３によって形成されたストリップ４４を前進させることにより、例えば、図示の運搬ホイールを回転させる等して達成される。しかしながら、他の構成上の手段の採用も又可能である。
【０１６１】
運搬装置３４は、特に歯車装置３６によって駆動され、対応の装置、例えば係止ラッチ、ばね要素等は、カプセル３又はストリップの意図された段階的前進のために使用可能である。その目的は、他のプロセスにマッチした所望の、特に段階的な運搬を達成することにある。
【０１６２】
次の回転中、プッシュロッド３９は、次の受け器３３内に戻り、それにより、次の、既に開放されたカプセル３を図２７に示すようにカプセルチャンバ４内に運搬する又は押し込む。この軸方向運動は、特に、制御スリーブ３５又は制御スリーブ３５によって支持されたカプセルチャンバ４が、カム（図示せず）の結果として、プッシュロッド３９により下側ハウジング部品１４又はカプセルチャンバ部品２６の近くまで軸方向に動かされることによって達成される。
【０１６３】
最後に、回転が続くと、吸入器１は、開放されたカプセル３がカプセルチャンバ４内に完全に挿入された図２３に示す位置に戻る。すると、調合薬２は、上述したように、カプセルチャンバ４を通る空気流と一緒に放出される。
【０１６４】
吸入後、次の作動は、可能ではあるが不要である。逆にそれどころか、次の作動を次の吸入の直前に又は次の投与分の送出前に行うことが好ましい。
【０１６５】
図示の実施形態では、作動は、非常に簡単である。特に、必要なことは、部品１４，１５を互いに対して回転させることだけである。好ましくは、図示の実施形態では、上述した手順を実施するためには、即ち、次の投与分を送出することができるようにするためには１８０°又は３６０°の回転が必要である。
【０１６６】
本実施形態の特定の一観点によれば、特に強制的な案内により生じる持ち上げ又は軸方向運動は、回転運動に重ね合わされる。これにより、複雑な又はより手の込んだ運動が、作動を簡単に保ちながら吸入器１内で起こることができる。特に、作動中における吸入器１の軸方向拡大により、対応のプロセス、例えばカプセルチャンバ４内におけるカプセル３の交換を実施するスペースが与えられる。しかしながら、他の構成上の手段の採用も又可能である。
【０１６７】
提案されている吸入器１は、好ましくは、マウスピース１０のための覆いキャップ（図示せず）を備える。特に簡単な作動を保証するため、吸入器１が完全な作動、特に、２つの部品１４，１５の互いに対する丸一回転をいったん受けると、覆いキャップを開放するだけで良い。覆いキャップは、吸入器１、特にカプセルチャンバ４及び他の空気通路を望ましくない汚染等から保護する。
【０１６８】
提案されている吸入器１のもう１つの利点は、この吸入器が少ない部品から簡単に構成されるということにある。
【０１６９】
好ましくは、吸入器１内には、未使用のカプセル３又は未使用のカプセル３を収容したストリップ４４若しくは受け器３３のための第１の受け入れチャンバ２３（図２７）と使用済みカプセル３又は使用済みカプセル３を収容したストリップ４４のための第２の受け入れチャンバ２４（図示せず）の両方が形成されている。しかしながら、変形例として、未使用のカプセル３と使用済みカプセル３の両方のための共通のカプセルリザーバ３１を設けても良い。これにより、同一の収容量を保った状態で吸入器１の全高を減少させることができる。後者の場合、ストリップ４４は、無端ストリップ又はウェブの形態をしていても良いがこれが必要不可欠ではない。
【０１７０】
図２８は、提案されている吸入器１の別の実施形態の構造を概略的に示している。吸入器１は、運搬装置３４又は駆動ホイール４１により形成された複数のカプセルチャンバ４を有している。好ましくはストリップの形態をしており又はばらばらの状態（図示せず）のカプセル３を駆動ホイール４１の回転により先へ運搬し、カプセルチャンバ４内に次々に収納し、このカプセルチャンバは、好ましくは当初側部が開いている。例えば、駆動ホイール４１を９０°のステップで回転させる（図示の実施形態では、４つのカプセルチャンバ４が、一様に９０°間隔に配置された状態で駆動ホイール４１に形成されている）。かくして、カプセル３を収容したカプセルチャンバ４のうちの１つを次々に、例えばハウジングのコーナ部に位置する吸入位置に配置し又は動かし、特に壁、例えば下側ハウジング部品１４によって双方に閉鎖する。
【０１７１】
カプセル３の開放又は穿通は、好ましくは、特に駆動ホイール４１の回転中又は運搬の結果として実施され、その結果、特に次のカプセル３が吸入位置に達する前に、かかる次のカプセル３を自動的に開放する。
【０１７２】
カプセルチャンバ４で駆動ホイール４１を構成するのとは別個独立にこれ又実施できる本発明の観点は、カプセル３が先へ運搬されているときにカプセル３が好ましくは自動的に開放されるということから成る。これは、開放装置５、充填装置２５、ピボット運動装置２９、運搬装置３４及び（又は）駆動ホイール４１若しくは吸入器１の他の構成要素の適当な構造によって実施でき、これにより、ユーザ又は患者にとっての操作が容易になる。
【０１７３】
図示の実施形態では、吸入器１は、未使用のカプセル３、即ち、依然として充填状態のカプセルのための第１の受け入れチャンバ２３及び使用済みの、即ち空のカプセル３のための第２の受け入れチャンバ２４を有している。上述した本吸入器１の機能的構造とは別個独立にこれ又具体化できる特に好ましい観点によれば、好ましくは、２つの受け入れチャンバ２３，２４相互間に可動であり可撓性の且つ（或いは）弾性の仕切り壁４２が設けられる。この結果、仕切り壁４２の対応の変位、変形又は他の改変の結果として特にコンパクトな構造が得られる。というのは、受け入れチャンバ２３，２４に利用できる全空間を最適度に、好ましくは当初、本質的に充填状態のカプセル３を収容した第１の受け入れチャンバ２３のみ利用できるからである。使用回数が増すにつれて、受け入れチャンバ２３は、仕切り壁４２の運動、変位及び（又は）変形の結果として小さくなり、これとは対照的に、使用済みの可能なカプセルを受け入れる第２の受け入れチャンバ２４は、大きくなる。必要ならば、仕切り壁４２は、弾性ストリップ、可動セグメント、箔等の形態をしていても良い。
【０１７４】
したがって、可動且つ（或いは）変形可能な仕切り壁４２は、２つの受け入れチャンバ２３，２４をカプセルチャンバ４のために、特に一方において未使用のカプセルチャンバ４、他方において使用済みカプセルチャンバ４のために分離するよう使用することも可能である。
【０１７５】
図２９は、覆いキャップ４３が開かれると共にマウスピース１０が開かれた提案されている吸入器１の別の実施形態を示している。図３０は、拡大部分断面図であり、図３１は、別の拡大部分断面図である。
【０１７６】
カプセル３（図示せず）は、好ましくは、チェーン又はストリップ４４内に収容され、又は好ましくはコイル、第１の受け入れチャンバ２３又はカプセルリザーバ３１内に収容されたかかるチェーン又はストリップを形成している。ストリップ４４は、個々のカプセル３のための受け器３３を有し、これら受け器は、好ましくは、カプセルチャンバセグメント又は部品２６により形成され又はかかるセグメント又は部品を形成する。
【０１７７】
カプセル３を収容したストリップ４４は、特にチャネル４５を介してマウスピース１０の付近に案内される。個別的には示されていないカプセルチャンバ４は、ここに配置されている。運搬は、好ましくは覆いキャップ４３の開閉により作動される運搬装置３４によって実施される。例えば、次の順序が可能である。
【０１７８】
閉鎖位置から始まって、覆いキャップ４３を指先ではじいて開く。開始のための行為は不要である。或る特定のピボット運動角から始まって、ストリップ４４又はカプセル３の次の運搬が生じ、好ましくは、次のカプセル３の開放、特に穿通が、ここには図示されていない開放装置５によって行われる。かくして、カプセル３を自動的に開放する。駆動又は作動は、特に、この場合、レバー機構体として構成され、覆いキャップ４３と関連した歯車装置３６によって実施される。
【０１７９】
前進が続行しているときに、次の受け器３３を開放状態のカプセル３と一緒に図３１に示すカプセルチャンバ４に運搬し、このカプセルチャンバは、特に、図面の紙面及び（又は）移動方向に対して直角に延びており、その結果、受け器４４は、そのカプセルチャンバセグメント又は部品２６と一緒に、カプセルチャンバ４を閉鎖する。例えば弾性又は比較的硬質のプラスチック材料から成るカプセルチャンバ部品２６を弾性的に又は被弾性的に変形させることができる。これにより、例えばカプセルチャンバの所望のサイズを達成するために拡張を行うことができる。代替的に又は追加的に、これは、カプセルチャンバ４の全体的な閉鎖又はカプセルチャンバ４の良好な密閉に寄与する場合がある。
【０１８０】
覆いキャップ４３が十分に、例えば９０°以上、特に１３０°以上開き、それに応じて、次のカプセル３が開放されてカプセルチャンバ４内に運ばれ、そしてカプセルチャンバ４が閉鎖されると、マウスピース１０を指先ではじいて外方に開くことができ、すると、吸入が行われる。この状態は、図３０に示されている。
【０１８１】
吸入後、マウスピース１０を再び折り畳み、覆いキャップ４３を再び閉鎖する。覆いキャップ４３の閉鎖により、使用済み又は空になったカプセル３が受け入れチャンバ２３又はカプセルリザーバ３１内に放出される。これ又別個独立に具体化できる特に好ましい観点によれば、使用済みカプセル３は、吸入器１内に必要な貯蔵空間を最小限に抑えると共にそれ故に吸入器１の全高を最小限に抑えるために、圧縮されると共に（或いは）細断され又は違ったやり方で破砕される。代替的に又は追加的に、必要な貯蔵空間を最小限に抑えるために、容器３又は使用済みカプセルストリップ４４等を圧縮し、細断し、切断し又は他の何らかの仕方で処理する。
【０１８２】
吸入器１が使用済みカプセル３、カプセルチャンバ４及び（又は）その部品又はセグメント２６を収容するよう設計されている場合、この目的のために必要な第２の受け入れチャンバ２４等は、好ましくは、吸入器１の他の部品、部分又は領域から、特に、第１の受け入れチャンバ２３から分離され、この第２の受け入れチャンバは、好ましくは、特に箔によって形成することも可能な仕切り壁４２によって形成される。代替的に又は追加的に、かかる分離は、空に成っていないカプセル３又は未使用のカプセルチャンバ４若しくは第１の受け入れチャンバ２３のために行えるのが良く、かかる分離は、特に、湿気に対する保護手段としての役目を果たすことができる。
【０１８３】
複数のカプセルチャンバ４が設けられる場合、これらカプセルチャンバ４を吸入器１内にできるだけコンパクトに収納し又は保管することができるようにするために、これらカプセルチャンバを使用後、圧縮する共に（或いは）細断し、切断し又は違ったやり方で処理するのが良い。
【０１８４】
提案されている吸入器１は、好ましくは、カウンタ４６を備え、このカウンタは、例えば、既に用いられたカプセル３の個数又は未だ使用されていないカプセル３の個数をカウントし、その個数を表示することができる。カウンタ４６は、例えば、歯車装置３６、覆いキャップ４３、運搬装置３４、ストリップ４４又はマウスピース１０及び（又は）吸入を検出するセンサ（図示せず）に結合されるのが良く、オプションとして、これらにより駆動され又は作動されるのが良い。
【０１８５】
図３２は、回転可能なリング又はセグメント４７を備えた提案されている吸入器１の別の実施形態の概略断面図である。リング又はセグメント４７を回転させると、これらの中に入っている、例えば、セグメント状チャンバ又は受け器３３内に入っているカプセル３（一例として、図３２にはかかるカプセル３が１つだけ示されている）が中央カプセルチャンバ４に次々に送られ、ここで、穿通される。吸入後、使用済みカプセル３は、もう一度リング又はセグメント４７若しくは受け器３３内に受け入れられ、又は、放出される。
【０１８６】
図３３は、別の実施形態としての吸入器１の略図である。吸入器は、この場合、カプセルチャンバ４を備えた好ましくは手動で回転可能な制御ホイール３７を有する。好ましくは、カプセルチャンバ４に手を使って容器３（図示せず）を詰め込むことができ、次に、回転させてカプセル３を開放し、吸入器１ハウジング内への吸入を可能にする。
【０１８７】
図３４は、駆動ホイール４１周りに延びる無端ストリップ４４を備えた提案されている吸入器１の別の実施形態を概略断面で示している。ストリップ４４は、カプセル３（図示せず）のための受け器３３を有するのが良い。好ましくは、本発明の目的でカプセル３は、調合薬２のためのブリスタパウチ４８又は他の受け器によって形成される。カプセル３は、この場合、特にしっかりと互いに連結される。
【０１８８】
吸入器１の下側ハウジング部分１４と上側ハウジング部分１５を特にばね４９の力に抗して互いに軸方向に押すことにより、ストリップ４４をステップ一つ分若しくは位置一つ分又はブリスタパウチ４８一つ分だけ前進させて次のカプセル３又はブリスタパウチ４８をマウスピース１０の下の吸入位置に動かし、その結果、このカプセル３又はブリスタパウチ４８をこの中に入っている調合薬２の放出によって次の吸入中、空にすることができるようにする。開放、特に穿通は、好ましくは、開放装置５（図示せず）により、特に、ブリスタパウチが押し合い位置に達する少し前にスパイク４９ａ等を図示のようにブリスタパウチ４８に穿通させることによって実施される。
【０１８９】
図３５は、駆動装置の考えられる実施形態を別の断面で示している。係合フック５０が、ハウジング部品１４，１５を互いに押したり互いに離したりしているときに、駆動ホイール４１の歯車リム５１に対して接線方向に前後に動くことができ、その結果、歯車４１は、一方向に段階的に回転するようになっている。というのは、好ましくは歯車リム５１にも係合している係止爪５２は、歯車４１が再び逆に回転するのを阻止するからである。
【０１９０】
運搬又は送出位置では、吸入器は、好ましくは一緒に押される。特に、ハウジング部品１４，１５は、好ましくは互いにラッチ止め関係をなした状態で、圧縮状態にある少なくとも１つのスナップ嵌めフック等（図示せず）によって互いに接合される。この係合を手作業で解除することができる。すると、ばね４９により、２つのハウジング部品１４，１５は、特に長手方向に互いに離れ、その結果、図３４及び図３５に示す状態がもう一度達成されるようになる。
【０１９１】
図３６は、先の実施形態に類似した吸入器１を概略断面で示している。図示のように、カプセル３は、ストリップ４４により又は受け器３３若しくはブリスタパウチ４８内に受け入れられ、特に別々に取り出し可能である。
【０１９２】
軸方向送出方向を備えた先の実施形態とは異なり、マウスピース１０は、吸入器１の長手方向又は好ましくは細長い若しくはロッド状下側ハウジング部品１４の長手方向に対して送出及び吸入のための位置合わせについて好ましくは横又は半径方向を有する。
【０１９３】
マウスピース１０を好ましくは、指先ではじいて、図示の吸入位置から点線で示された位置に移すことができる。この指先はじき又は開き運動は、好ましくは、吸入器１又は開放装置５、運搬装置３４、駆動ホイール４１を作動させ又は駆動するために、又は、例えば歯車装置１６（図示せず）を用いてストリップ４４を前進させるために利用される。
【０１９４】
図３７ａ〜図３７ｃは、互いに異なる好ましい作動状態を細部の概略断面で示している。
【０１９５】
図３７ａは、第１の状態を示している。吸入位置又はカプセルチャンバ４内には依然としてカプセル３が存在しない。第１のカプセルチャンバ部品２６が送出方向又は主流れ方向に対して逆の方向にカプセルチャンバ４から遠ざかっている。カプセルチャンバ４は、側部が開いている。
【０１９６】
図３７ｂは、第２の状態を示している。開放装置５は、好ましくはばね押しリセット要素４０の力に抗して、次の吸入が意図されたカプセル３を動かし又は変位させており、特に、カプセル３を第２の特にビーム状のカプセルチャンバ部品２６と一緒に、ブリスタパウチ４８からカプセルチャンバ４内に又は吸入位置にあるマウスピース１０の延長部内に穿通要素６で側方に穿通している。
【０１９７】
図３７ｃは、第３の状態を示している。開放装置５は、特に、所望の空気流（カプセルチャンバ４を長手方向に通る）を保証するために、第２のカプセルチャンバ部品２６に形成された穿通開口部７が穿通要素６によって閉鎖されたままの状態の位置までその穿通要素６と一緒にカプセル３から引っ込められている。さらに、第１のカプセルチャンバ部品２６は、前方に押されている。かくして、カプセルチャンバ４は、閉鎖されている。吸入器１は、いつでも吸入が可能な状態にある。
【０１９８】
開放装置５をその開始位置に押し戻し、カプセルチャンバ４を開くと、好ましくはばね押しリセット要素４０は、空になったカプセル３をストリップ４４内の空のブリスタパウチ４８又は受け器３３に戻す。次に、ストリップ４４を次のカプセル３上に動かすのが良い。
【０１９９】
図示の実施形態では、第２のカプセルチャンバ部品２６が、各受け器３３又はブリスタパウチ４８内に設けられる。変形例として、カプセルチャンバ部品２６を１つだけ設けても良く、このカプセルチャンバ部品は、この場合、好ましくは穿通要素６から取り外し可能ではない。
【０２００】
図３８ａは、受け入れチャンバ２３又はカプセルリザーバ３１が断面で示された吸入器１の別の実施形態を示している。各カプセル３は、図３８ｂの断面図に示されているように、カプセルチャンバ４内にあらかじめ入れられている。
【０２０１】
カプセル３の入ったカプセルチャンバ４は、特に、蛇行形態又は他の形態で、吸入器１又は受け入れチャンバ２３若しくはリザーバ３１内に入れられ、好ましくはこれを特に搬送又は駆動ホイール４１によって個々にマウスピース１０まで前進させるのが良い。
【０２０２】
次の吸入が意図されたカプセルチャンバ４を好ましくは運搬装置３４、特に手動操作可能な作動要素５３によってピックアップし、かかるカプセルチャンバをこの場合、所望の位置合わせ関係をなしてマウスピース１０に軸方向に押し、入口側及び出口側を開放し、カプセル３を開放し又は穿通する開放装置５に向かって動かすと共に（或いは）最終的に図３８ｃの拡大詳細図に示されているように、マウスピース１０の出口側と関連した連結部材１６に連結するのが良い。次に、調合薬２の送出又は吸入が生じる。
【０２０３】
吸入後、空になった容器３を収納している使用済みカプセルチャンバ４を運搬装置又は受け例チャンバ２３若しくはリザーバ３１、特に、次の搬送又は駆動ホイール４１によって再びピックアップする。
【０２０４】
図３９は、カプセルリザーバ３１を備えた別の実施形態を部分断面図で示している。カプセルリザーバ３１は、管状設計のものである。カプセル３は、好ましくは、カプセルリザーバ３１内に軸方向に相前後して収容されると共にカプセルリザーバ３１の周囲に沿って分布して配置されている。
【０２０５】
カプセルリザーバ３１は、特に、カプセル３、例えば６個のカプセル３の群をなした放出分をこれに対応して例えば６つのカプセルチャンバ４を備えたキャリヤ１１内に保持するよう設計されている。カプセルリザーバは、好ましくは、同時に放出されるべきカプセル３の個数に一致した開口部５５を備えるシャッタ状のゲート又は出口５４を有している。ゲートは、好ましくは、開口部５５をカプセル３の延長部上で又はカプセル３に関して軸方向に位置合わせすることができるようばね５６の力に対抗して回転可能であり、その結果、カプセル３は、開口部５５を通って放出されて下に配置されているマガジン又はキャリヤ１１によって捕捉されるようになっている。放出後、ゲート５４は、ばね力又は逆戻りの結果として自動的に閉じる。
【０２０６】
図４０〜図４２は、類似の実施形態としてのカプセルリザーバ３１を示している。
【０２０７】
図４０に示す実施形態では、ゲート５４は、関連のスライダ状シャッタ５７によって閉鎖可能であり、このスライダ状シャッタは、カプセルを放出するため、即ち、ゲート５４を開放するため又は開口部５５を露出させるためにばね５６の力に対抗して横方向に又は半径方向に動くことができる。分かりやすくするために、図４０は、カプセル３を全く示していない。
【０２０８】
図４１に示す実施形態では、カプセルリザーバ３１は、好ましくは中央の保持装置５８を有し、この保持装置は、妨害位置に置いて半径方向に広がるアーム５９によってカプセル３の軸方向運動を妨害する。キャリヤ１１が保持装置５８のピン６０を軸方向に押すと、保持装置は、図４１に点線で示すようにアーム５９を折り畳んでピン６０に半径方向に当てることによってカプセル３を解除する。次いで、カプセル３の次の群は、下に配置されているキャリヤ１１又はそのカプセルチャンバ４内に滑り込むことができる。キャリヤを取り外すと、リセットが、ばね５６の結果として生じ、アーム５９は、再び広がり、保持装置５８は、カプセル３のそれ以上の放出を阻止する。
【０２０９】
図４２の実施形態では、カプセルリザーバ３１は、カプセル３を好ましくはカプセルリザーバ３１の長手方向に対して直角に位置合わせ状態で受け入れる。カプセル３は、カプセルリザーバ３１の軸方向に又はカプセルリザーバ３１内でコイル又は螺旋に沿って２つの列か２つのスタックかのいずれかの状態に配置されている。ゲート５４は、特に、開口部５５を１つだけ有している。シャッタ５７を段階的に回転させ又は回してその開口部５５をゲート５４の開口部５５と位置合わせ状態にすると、カプセル３は、好ましくは、１つ放出される。特に、１つのカプセル３をシャッタ５７の特定の回転位置で放出させることができる。逆の回転位置又は特に１８０°回転させた図４２に示す位置では、カプセルリザーバ３１は、好ましくは、特にカプセルを過剰な機構変動から保護すると共に（或いは）カプセル３が乾燥しすぎないように好ましくはしっかりと密封される。
【０２１０】
図４３は、カプセルチャンバ４を閉鎖できる、即ち、取り外し可能なストッパ６１又は他のクロージャ要素、例えばキャップ、蓋等によってカプセルチャンバの入口側及び（又は）出口側が閉鎖される実施形態の断面図である。
【０２１１】
図４４は、吸入器１の別の実施形態を概略断面で示している。カプセルチャンバ４とカプセル３は、回転可能な環状キャリヤ１１内で半径方向に位置合わせされている。吸入位置における開放装置５によるカプセル３の穿通も又、半径方向に起こり、即ち、カプセル３に対して軸方向に又は端面のところで生じる。開放装置５は、この場合、好ましくは穿通要素６を包囲したリセットばね６２を有し、この開放装置を特にスライダのようにリセットばね６２の力に対抗して作動させることができる。
【０２１２】
図４５及び図４６は、吸入器１の別の実施形態を概略的に示している。別々のカプセル３に代えて、調合薬２は、キャリヤ１１内の受け器３３内にあらかじめ直接入れられている。かくして、受け器３３は、好ましくは、本発明の意味でカプセルを形成している。キャリヤ１１は、好ましくは、リングを形成し、受け器３３は、その周囲に沿ってぐるりと分布して配置された状態で閉鎖されている。
【０２１３】
受け器３３は、マウスピース１０を半径方向外方に引くことによりこの場合も好ましくは半径方向に作用する開放装置５によって個々に開放可能である。これにより、特にキャリジによってマウスピース１０に結合されている開放装置５は、同様に半径方向に動き、その結果、穿通要素６が吸入位置に配置されていると共に穿通要素６と位置合わせされている受け器３３に嵌まり込むようになり、この中に入っている調合薬２が押し出され又は半径方向外方に放出されて隣接のチャンバ６３に入るようになる。この状況は、図４５に示されている。
【０２１４】
次いで、吸入中、調合薬２は、空気流によってマウスピース１０を通ってチャンバ６３から放出される。次に、マウスピース１０を再び比較的押し戻すのが良い。この状況は、図４６に示されている。さらに、このように、穿通要素６を先に穿通され又は空になった受け器３３から引き抜く。
【０２１５】
最後に、キャリヤ１１を受け器３３一つ分だけ前進させ又は回転させる。これは、例えば、図示の内歯を用いて実施でき、マウスピース１０は、完全に内方に押し込まれると共に（或いは）半径方向外方に引き出される。
【０２１６】
一般に、調合薬２を各々が１回投与分の調合薬２を収容したカプセル３から吸入するための吸入器１が提案されている。カプセル３は、各々、好ましくは、カプセルチャンバ４を通って流れるガス又は空気の流れにより動かされることによりカプセルチャンバ４内で空にされる。ユーザ又は患者の呼吸によって且つ（或いは）吸入器１によって能動的にガス又は空気の流れを生じさせることができる。作動を容易にするため、吸入器１は、特に、カプセルチャンバ４が２回以上用いられる場合、カプセルチャンバ４を特に自動的に充填し、空にすると共に（或いは）クリーニングする手段を有する。変形例として、吸入器１は、各々が好ましくは既にカプセル３を収容しており、好ましくは１回だけ用いられる複数のカプセルチャンバ４を有する。
【０２１７】
好ましくは利用される分散プロセス（調合薬２をガス又は空気の流れに乗って放出したり分散させたりするためにガス又は空気の流れ中における開放状態のカプセル３の運動）には、種々の利点がある。かかる分散プロセスにより、粒子を良好にばらばらにして非常に一様な分散が可能である。相対的な流量からの独立性の実現が可能になる。特に、カプセル運動又は振動及びそれ故に調合薬の送出は、約１０又は２０ｌ／分以上の流量の達成後に始まり、カプセルの運動により、即ち、吸入中、ユーザに知覚可能な音響信号を生じさせることができる。
【０２１８】
さらに、吸入器１は、マウスピース１０をクリーニングする手段を備えるのが良い。代替的に又は追加的に、マウスピース１０を特にクリーニングのために取り外し可能であっても良い。
【０２１９】
多くのカプセルチャンバ４が設けられている場合、吸入器１は、摩擦係止及び（又は）相互係止係合方式によりカプセルチャンバ４を吸入位置に固定する保持又はクランプ装置（図示せず）を有するのが良い。保持又はクランプ装置は、例えば、入口８及び出口９を空気の供給及び除去を可能にするようにしておくようカプセルチャンバ４の長手方向側部に作用するのが良い。代替的に又は追加的に、カプセルチャンバ４をクランプ方式又は摩擦及び（又は）相互係止係合方式によりその軸方向端部領域のところが、特に入口８及び出口９のところが固定されても良い。
【０２２０】
一例としての実施形態に示されたカプセル３は、好ましくは、円筒形であり又は細長く、特に丸くなった端部を有する。しかしながら、理論的には、カプセル３は、任意所望の形状を有する又は取ることができる。
【０２２１】
必要ならば、カプセルリザーバ３１は、特にカプセルリザーバがカプセル３のための別々の受け入れチャンバ又はカプセル３のための対応のフォロアを有する場合、回転可能であるように構成されていても良い。この場合、カプセル３をそれに応じて送出位置に動かすのが良く、この送出位置から、カプセル３を特に関連のカプセルチャンバ４内に又は他の何らかの取り扱い又は運搬装置内に１つずつ放出することができる。
【０２２２】
説明した実施形態及び変形例では、カプセルチャンバ４、キャリヤ１１、カプセルリザーバ３１等は、好ましくは、自動的に開かれる。追加的に又は代替手段として、特に吸入器１が最初に用いられるとき、カバー、シール等を手を使って、例えば、かかるカバー、シール等を側方に引き出すことにより開かなければならないようにすることも可能である。
【０２２３】
別の変形実施形態（図示せず）によれば、カプセル３又はカプセルチャンバ４のためのリザーバ３１も又、吸入器１を再充填するために吸入器１の充填又はこれへの結合に適するよう構成されていても良い。特に、この場合、リザーバ３１は、カプセル３又はカプセルチャンバ４を吸入器１に移すために自動的に開かれる。
【０２２４】
吸入器を作動させるため、マウスピース１０は、好ましくは軸方向又は出口方向に、特に手動で動くことができるようにすることも可能である。これは、関連のカプセルチャンバ４を充填し又は空にするため、カプセル３を特に軸方向に又は長手方向に開放し又は穿通するため且つ（或いは）好ましくはマウスピース１０内に設けられている出口弁等を開閉するために利用できる。
【０２２５】
一般に、カプセル３及び（又は）カプセルチャンバ４を運搬し又は更に搬送するための任意所望の駆動装置を利用することができる。純粋に機械的な、特に手動操作の駆動操作を設けることが特に好ましい。必要ならば、ばね手段を用いることができる。かくして、例えば、キャリヤ１１を更に運搬するため又は特にストリップ又はチェーンを形成するカプセル３、カプセルチャンバ４又は案内要素２１を運搬すると共に（或いは）巻き取るための付勢ばね、例えばコイルばね、時計用ばね等を用いることが可能である。
【０２２６】
提案されている吸入器１は、好ましくは、許可を受けていない使用を阻止するための係止又は固定装置、特にチャイルドロック等を備える。
【０２２７】
加うるに、吸入器１は、カプセル３、カプセルチャンバ４、キャリヤ１１、案内要素２１又はこれらにより形成されるチェーン若しくはストリップ等を逆方向に運搬するのを阻止する係止機構体、例えばラチェット機構体等を更に有するのが良い。
【０２２８】
提案されている吸入器１は、特に、少なくとも３０個以上のカプセルを保有するよう設計されている。日々の１回投与分の吸入のため、吸入器は、かくして、ひと月分の供給量を保持する。
【０２２９】
また、種々の実施形態の個々の特徴及び観点を所望に応じて互いに組み合わせることができ又は他の設計の吸入器に用いることができる。
【０２３０】
本発明は、吸入器には限定されず、他のアトマイザにも利用できる。したがって、「吸入器」という用語は、好ましくは、特に医療又は他の治療目的の他のディスペンサ又はアトマイザをも含むものとして広義に解釈されるべきである。
【０２３１】
好ましい薬剤調合物又は調合薬２の幾つかの好ましい成分及び（又は）組成が以下に列記されている。上述したように、これら調合薬は、粉末、特に最も広い意味では流体である。特に好ましくは、調合薬２は、以下を含む。
【０２３２】
以下に一覧表示する化合物をこれら自体で又は組合せ状態で本発明の器具に用いることができる。以下に記載する化合物に関し、Ｗは、薬理学的に有効な物質であり、ベータミメティック（Betamimetic）、抗コリン作用薬、コルチコステロイド、ＰＤＥ４−阻害薬、ＬＴＤ４−拮抗薬、ＥＧＦＲ−阻害薬、ドーパミン作用薬、Ｈ１−抗ヒスタミン薬、ＰＡＦ−拮抗薬及びＰＩ３−キナーゼ阻害薬の中から（例示として）選択される。さらに、Ｗの２つの組合せ又は３つの組合せを組み合わせて本発明の器具に用いることができる。Ｗの組合せは、例えば次のようなものが考えられる。
・Ｗは、抗コリン作用薬、コルチコステロイド、ＰＤＥ４−阻害薬、ＥＧＦＲ−阻害薬又はＬＴＤ４−拮抗薬と組み合わせられるベータミメティックを意味する。
・Ｗは、ベータミメティック、コルチコステロイド、ＰＤＥ４−阻害薬、ＥＧＦＲ−阻害薬又はＬＴＤ４−拮抗薬と組み合わせられる抗コリン作用薬を意味する。
・Ｗは、ＰＤＥ４−阻害薬、ＥＧＦＲ−阻害薬又はＬＴＤ４−拮抗薬と組み合わせられるコルチコステロイドを意味する。
・Ｗは、ＥＧＦＲ−阻害薬又はＬＴＤ４−拮抗薬と組み合わせられるＰＤＥ４−阻害薬を意味する。
・Ｗは、ＬＴＤ４−拮抗薬と組み合わせられるＥＧＦＲ−阻害薬を意味する。
【０２３３】
ベータミメティックとして用いられる化合物は、好ましくは、アルブテロール、アルフォルモテロール、バンブテロール、ビトルテロール、ブロクサテロール、カルブテロール、クレンブテロール、フェノテロール、ホルモテロール、ヘキソプレナリン、イブテロール、イソエタリン、イソプレナリン、レボサルブタモル、マブテロール、メルアドリン、メタプロテレノール、オルチプレナリン、ピルブテロール、プロカテロール、レプロテロール、リミテロール、リトドリン、サルメファモル、サルメテロール、ソテレノール、スルホンテロール、テルブタリン、チアラミド、トルブテロール、ジンテロール、ＣＨＦ−１０３５、ＨＯＫＵ−８１、ＫＵＬ−１２４８、及び
・３−（４−｛６−［２−ヒドロキシ−２−（４−ヒドロキシ−３−ヒドロキシメチル−フェニル）−エチルアミノ］−ヘキシロキシ｝−ブチル）−ベンジル−スルホナミド、
・５−［２−（５，６−ジエチル−インダン−２−イルアミノ）−１−ヒドロキシ−エチル］−８−ヒドロキシ−１Ｈ−キノリン−２−オン、
・４−ヒドロキシ−７−［２−｛［２−｛［３−（２−フェニルエトキシ）プロピル］スルホニル｝エチル］−アミノ｝エチル］−２（３Ｈ）−ベンゾチアゾロン、
・１−（２−フルオロ−４−ヒドロキシフェニル）−２−［４−（１−ベンジミダゾリル）−２−メチル−２−ブチルアミノ］エタノール、
・１−［３−（４−メトキシベンジル−アミノ）−４−ヒドロキシフェニル］−２−［４−（１−ベンジミダゾリル）−２−メチル−２−ブチルアミノ］エタノール、
・１−［２Ｈ−５−ヒドロキシ−３−オキソ−４Ｈ−１，４−ベンゾキサジン−８−イル］−２−［３−（４−Ｎ，Ｎ−ジメチルアミノフェニル）−２−メチル−２−プロピルアミノ］エタノール、
・１−［２Ｈ−５−ヒドロキシ−３−オキソ−４Ｈ−１，４−ベンゾキサジン−８−イル］−２−［３−（４−メトキシフェニル）−２−メチル−２−プロピルアミノ］エタノール、
・１−［２Ｈ−５−ヒドロキシ−３−オキソ−４Ｈ−１，４−ベンゾキサジン−８−イル］−２−［３−（４−ｎ−ブチルオキシフェニル）−２−メチル−２−プロピルアミノ］エタノール、
・１−［２Ｈ−５−ヒドロキシ−３−オキソ−４Ｈ−１，４−ベンゾキサジン８−イル］−２−｛４−［３−（４−メトキシフェニル）−１，２，４−トリアゾル−３−イル］−２−メチル−２−ブチルアミノ｝エタノール、
・５−ヒドロキシ−８−（１−ヒドロキシ−２−イソプロピルアミノブチル）−２Ｈ−１，４−ベンゾキサジン−３−（４Ｈ）−オン、
・１−（４−アミノ−３−クロロ−５−トリフルオロメチルフェニル）−２−ｔ−ブチルアミノ）エタノール、
・６−ヒドロキシ−８−｛１−ヒドロキシ−２−［２−（４−メトキシ−フェニル）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（エチル４−フェノキシ−アセテート）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（４−フェノキシ−酢酸）−１，１−ジメチル−エチルアミノ］−エチル｝−４Ｈ−ベンゾ［１，４］オキサジン−３−オン、
・８−｛２−［１，１−ジメチル−２−（２，４，６−トリメチルフェニル）−エチルアミノ］−１−ヒドロキシ−エチル｝−６−ヒドロキシ−４Ｈ−ベンゾ［１，４］オキサジン−３−オン、
・６−ヒドロキシ−８−｛１−ヒドロキシ−２−［２−（４−ヒドロキシ−フェニル）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（４−イソプロピル−フェニル）−１，１−ジメチル−エチルアミノ］−エチル｝−４Ｈ−ベンゾ［１，４］オキサジン−３−オン、
・８−｛２−［２−（４−エチル−フェニル）−１，１−ジメチル−エチルアミノ］−１−ヒドロキシ−エチル｝−６−ヒドロキシ−４Ｈ−ベンゾ［１，４］オキサジン−３−オン、
・８−｛２−［２−（４−エトキシ−フェニル）−１，１−ジメチル−エチルアミノ］−１−ヒドロキシ−エチル｝−６−ヒドロキシ−４Ｈ−ベンゾ［１，４］オキサジン−３−オン、
・４−（４−｛２−［２−ヒドロキシ−２−（６−ヒドロキシ−３−オキソ−３，４−ジヒドロ−２Ｈ−ベンゾ［１，４］オキサジン−８−イル）−エチルアミノ］−２−メチル−プロピル｝−フェノキシ）−酪酸、
・８−｛２−［２−（３，４−ジフルオロ−フェニル）−１，１−ジメチル−エチルアミノ］−１−ヒドロキシ−エチル｝−６−ヒドロキシ−４Ｈ−ベンゾ［１，４］オキサジン−３−オン、
・１−（４−エトキシ−カルボニルアミノ−３−シアノ−５−フルオロフェニル）−２−（ｔ−ブチルアミノ）エタノール、
・２−ヒドロキシ−５−（１−ヒドロキシ−２−｛２−［４−（２−ヒドロキシ−２−フェニル−エチルアミノ）−フェニル］−エチルアミノ｝−エチル）−ベンズアルデヒド、
・Ｎ−［２−ヒドロキシ−５−（１−ヒドロキシ−２−｛２−［４−（２−ヒドロキシ−２−フェニル−エチルアミノ）−フェニル］−エチルアミノ｝−エチル）−フェニル］−ホルムアミド、
・８−ヒドロキシ−５−（１−ヒドロキシ−２−｛２−［４−（６−メトキシ−ビフェニル−３−イルアミノ）−フェニル］−エチルアミノ｝−エチル）−１Ｈ−キノリン−２−オン、
・８−ヒドロキシ−５−（１−ヒドロキシ−２−（６−フェネチルアミノ−ヘキシルアミノ）−エチル）−１Ｈ−キノリン−２−オン、
・５−［２−（２−｛４−［４−（２−アミノ−２−メチル−プロポキシ）−フェニルアミノ］−フェニル｝−エチルアミノ）−１−ヒドロキシ−エチル］−８−ヒドロキシ−１Ｈ−キノリン−２−オン、
・［３−（４−｛６−［２−ヒドロキシ−２−（４−ヒドロキシ−３−ヒドロキシメチル−フェニル）−エチルアミノ］−ヘキシルオキシ｝−ブチル）−５−メチル−フェニル］−ウレア、
・４−（２−｛６−［２−（２，６−ジクロロ−ベンジルオキソ）−エトキシ］−ヘキシルアミノ｝−１−ヒドロキシ−エチル）−２−ヒドロキシメチル−フェノール、
・３−（４−｛６−［２−ヒドロキシ−２−（４−ヒドロキシ−３−ヒドロキシメチル−フェニル）−エチルアミノ］−ヘキシルオキシ｝−ブチル）−ベンジルスルホンアミド、
・３−（３−｛７−［２−ヒドロキシ−２−（４−ヒドロキシ−３−ヒドロキシメチル−フェニル）−エチルアミノ］−ヘプチルオキシ｝−プロピル）−ベンジルスルホンアミド、
・４−（２−｛６−［４−（３−シクロペンタンスルホニル−フェニル）−ブトキシ］−ヘキシルアミノ｝−１−ヒドロキシ−エチル）−２−ヒドロキシメチル−フェノール
、
・Ｎ−アダマンタン−２−イル−２−（３−｛２−［２−ヒドロキシ−２−（４−ヒドロキシ−３−ヒドロキシメチル−フェニル）−エチルアミノ］−プロピル｝−フェニル）−アセトアミドの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、ベータミメティックの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【０２３４】
用いられる抗コリン作用薬は、好ましくは、チオトロピウム塩、好ましくはブロミド塩、オキシトロピウム塩、好ましくはブロミド塩、フルトロピウム塩、好ましくはブロミド塩、イプラトロピウム塩、好ましくはブロミド塩、グリコピロニウム塩、好ましくはブロミド塩、トロスピウム塩、好ましくはクロリド塩、トルテロジンの中から選択された化合物である。好ましくはブロミド塩の中から選択された化合物である。上述の塩に関し、陽イオンは、薬理学的に有効な成分である。陰イオンとして、上述の塩は、好ましくは、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ−トルエンスルホネートを含むのが良く、クロリド、ブロミド、イオジド、スルヘート、メタンスルホネート、又はｐ−トルエンスルホネートが対イオンとして好ましい。全ての塩のうちで、クロリド、ブロミド、イオジド及びメタンスルホネートが特に好ましい。
【０２３５】
他の好ましい抗コリン作用薬は、次の化学式ＡＣ−１、即ち、
【化１】
0005581691.tif 000002
の塩の中から選択され、この化学式において、Ｘ-は、単一の負の電荷を備えた陰イオン、好ましくは、フルオリド、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ−トルエンスルホネートの中から選択された陰イオン、好ましくは、単一の負の電荷を備えた陰イオン、特に好ましくは、フルオリド、クロリド、ブロミド、メタンスルホネート及びｐ−トルエンスルホネートの中から選択された陰イオン、特に好ましくはブロミドを意味し、オプションとしてこれらのラセミ化合物、エナンチオマー又は水和物を意味している。次の化学式ＡＣ−１−ｅｎ、即ち、
【化２】
0005581691.tif 000003
のエナンチオマーを含む薬理学的な組合せが特に重要であり、この化学式において、Ｘ-は、上述の意味を有するのが良い。他の好ましい抗コリン作用薬は、次の化学式ＡＣ−２、即ち、
【化３】
0005581691.tif 000004
の塩から選択され、この化学式において、Ｒは、メチルかエチルかのいずれかを表し、Ｘ-は、上述の意味を有するのが良い。変形実施形態では、化学式ＡＣ−２の化合物は、次の自由塩基ＡＣ−２−ｂａｓｅ、即ち、
【化４】
0005581691.tif 000005
の形態で存在しても良い。
【０２３６】
他の特定される化合物は、次の通りである。
・トロペノール２，２−ジフェニルプロピオネートメトブロミド、
・スコピン２，２−ジフェニルプロピオネートメトブロミド、
・スコピン２，２−フルオロ−２，２−ジフェニルアセテートメトブロミド、
・トロペノール２−フルオロ−２，２−ジフェニルアセテートメトブロミド、
・トロペノール３，３′，４，４′−テトラフルオロベンジレートメトブロミド、
・スコピン３，３′，４，４′−テトラフルオロベンジレートメトブロミド、
・トロペノール４，４′−ジフルオロベンジレートメトブロミド、
・スコピン４，４′−ジフルオロベンジレートメトブロミド、
・トロペノール３，３′−ジフルオロベンジレートメトブロミド、
・スコピン３，３′−ジフルオロベンジレートメトブロミド、
・トロペノール９−ヒドロキシ−フルオレン−９−カルボキシレートメトブロミド、
・トロペノール９−フルオロ−フルオレン−９−カルボキシレートメトブロミド、
・スコピン９−ヒドロキシ−フルオレン−９−カルボキシレートメトブロミド、
・スコピン９−フルオロ−フルオレン−９−カルボキシレートメトブロミド、
・トロペノール９−メチル−フルオレン−９−カルボキシレートメトブロミド、
・スコピン９−メチル−フルオレン−９−カルボキシレートメトブロミド、
・シクロプロピルトロピンベンジレートメトブロミド、
・シクロプロピルトロピン２，２−ジフェニルプロピオネートメトブロミド、
・シクロプロピルトロピン９−ヒドロキシ−キサンテン−９−カルボキシレートメトブロミド、
・シクロプロピルトロピン９−メチル−フルオレン−９−カルボキシレートメトブロミド
・シクロプロピルトロピン９−メチル−キサンテン−９−カルボキシレートメトブロミド
・シクロプロピルトロピン９−ヒドロキシ−フルオレン−９−カルボキシレートメトブロミド
・シクロプロピルトロピンメチル４，４′−ジフルオロベンジレートメトブロミド、
・トロペノール９−ヒドロキシ−キサンテン−９−カルボキシレートメトブロミド、
・スコピン９−ヒドロキシ−キサンテン−９−カルボキシレートメトブロミド、
・トロペノール９−メチル−キサンテン−９−カルボキシレートメトブロミド、
・スコピン９−メチル−キサンテン−９−カルボキシレートメトブロミド、
・トロペノール９−エチル−キサンテン−９−カルボキシレートメトブロミド、
・トロペノール９−ジフルオロメチル−キサンテン−９−カルボキシレートメトブロミド、
・スコピン９−ヒドロキシメチル−キサンテン−９−カルボキシレートメトブロミド。
【０２３７】
上述の化合物は、本発明の範囲内で塩としても使用でき、この場合、メトブロミドに代えて、塩メト−Ｘが用いられ、この場合、Ｘは、Ｘ-について上述した意味を有するのが良い。
【０２３８】
コルチコステロイドとして、ベクロメタソン（beclomethasone）、ベータメタソン（betamethasone）、ブデソニド（budesonide）、ブチキソコルテ（butixocorte）、シクレソニド（ciclesonide）、デフラザコルテ（deflazacorte）、デキサメタソン（dexamethasone）、エチプレドノル（etiprednole）、フルニソリド（flunisolide）、フルチカソン（fluticasone）、ロテプレドノル（loteprednole）、モメタソン（mometasone）、プレドニソロン（prednisolone）、プレドニソン（prednisone）、ロフレポニド（rofleponide）、トリアムシノロン（triamcinolone）、ＲＰＲ−１０６５４１、ＮＳ−１２６、ＳＴ−２６、及び
・（Ｓ）−フルオロメチル  ６，９−ジフルオロ−１７−［（２−フラニルカルボニル）オキシ］−１１−ヒドロキシ−１６−メチル−３−オキソ−アンドロスタ−１，４−ジエン−１７−カルボチオネート、
・（Ｓ）−（２−オキソ−テトラヒドロ−フラン−３Ｓ−イル）６，９−ジフルオロ−１１−ヒドロキシ−１６−メチル−３−オキソ−１７−プロピオニルオキシ−アンドロスタ−１，４−ジエン−１７−カルボチオネート、
・シアオメチル  ６α，９α−ジフルオロ−１１β−ヒドロキシ−１６α−メチル−３−オキソ−１７α−（２，２，３，３−テトラメチルシクロプロピルカルボニル）オキシ−アンドロスタ−１，４−ジエン−１７β−カルボン酸シアノメチルエステルの中から選択された化合物を用いることが好ましく、
オプションとして上記化合物のラセミ化合物、エナンチオマー又はジアステレオマー及びオプションとして上記化合物の薬理学的に容認できる塩及びその誘導体、溶媒化合物及び（又は）水和物が用いられる。ステロイドと言った場合、これは、存在し得るステロイドの塩又はその誘導体、水和物又は溶媒化合物を含む。考えられるステロイドの塩及びその誘導体の例は、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートである。
【０２３９】
使用できるＰＤＥ４−阻害薬は、好ましくは、エンプロフィリン、テオフィルリン、ロフルミラスト、アリフロ（チロミラスト）、トフィミラステ（tofimilaste）、プマフェントリン（pumafentrine）、リリミラステ（lirimilaste）、アロフィリン（arofylline）、アチゾラム（atizorame）、Ｄ−４４１８、ベイ（Ｂａｙ）−１９８００４、ＢＹ３４３、ＣＰ−３２５．３６６、Ｄ−４３９６（Ｓｃｈ−３５１５９１）、ＡＷＤ−１２−２８１（ＧＷ−８４２４７０）、ＮＣＳ−６１３、ＣＤＰ−８４０、Ｄ−４４１８、ＰＤ−１６８７８７、Ｔ−４４０、Ｔ２５８５、Ｖ−１１２９４Ａ、Ｃ１−１０１８、ＣＤＣ−８０１、ＣＤＣ−３０５２、Ｄ−２２８８８、ＹＭ−５８９９７、Ｚ−１５３７０及び、
・Ｎ−（３，５−ジクロロ−１−オキソ−ピリジン−４−イル）−４−ジフルオロメトキシ−３−シクロプロピルメトキシベンザミド、
・（−）ｐ−［（４ａＲ*，１０ｂＳ*）−９−エトキシ−１，２，３，４，４ａ，１０ｂ−ヘキサヒドロ−８−メトキシ−２−メチルベンゾ［ｓ］［１，６］ナフチリジン−６−イル］−Ｎ，Ｎ−ジイソプロピルベンザミド、
・（Ｒ）−（＋）−１−（４−ブロモベンジル）−４−［（３−シクロペンチルオキシ）−４−メトキシフェニル］−２−ピロリドン、
・３−（シクロペンチルオキシ−４−メトキシフェニル）−１−（４−Ｎ′−［Ｎ−２−シアノ−Ｓ−メチル−イソチオウレイド］ベンジル）−２−ピロリドン、
・シス［４−シアノ−４−（３−シクロペンチルオキシ−４−メトキシフェニル）シクロヘキサン−１−カルボン酸］、
・２−カルボメトキシ−４−シアノ−４−（３−シクロプロピルメトキシ−４−ジフルオロメトキシフェニル）シクロヘキサン−１−オン、
・シス［４−シアノ−４−（３−シクロプロピルメトキシ−４−ジフルオロメトキシフェニル）シクロヘキサン−１−オル］、
・（Ｒ）−（＋）−エチル［４−（３−シクロペンチルオキシ−４−メトキシフェニル）ピロリジン−２−イリデン］アセテート、
・（Ｓ）−（−）−エチル［４−（３−シクロペンチルオキシ−４−メトキシフェニル）ピロリジン−２−イリデン］アセテート、
・９−シクロペンチル−５，６−ジヒドロ−７−エチル−３（２−チエニル）−９Ｈ−ピラゾロ［３，４−ｃ］−１，２，４−トリアゾロ［４，３−ａ］ピリジン、
・９−シクロペンチル−５，６−ジヒドロ−７−エチル−３−（ｔ−ブチル）−９Ｈ−ピラゾロ［３，４−ｃ］−１，２，４−トリアゾロ［４，３−ａ］ピリジンの中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、ＰＤＥ４阻害薬の酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【０２４０】
用いられるＬＴＤ４−拮抗薬は、好ましくは、モンテルカスト、プランルカスト、ザフィルルカスト、ＭＣＣ−８４７（ＺＤ−３５２３）、ＭＮ−００１、ＭＥＮ−９１５０７（ＬＭ−１５０７）、ＶＵＦ−５０７８、ＶＵＦ−Ｋ−８７０７、Ｌ−７３３３２１、及び
・１−（（（Ｒ）−（３−（２−（６，７−ジフルオロ−２−キノリニル）エテニル）フェニル）−３−（２−（２−ヒドロキシ−２−プロピル）フェニル）チオ）メチルシクロプロパン−酢酸、
・１−（（（１（Ｒ）−３（３−（２−（２，３−ジクロロチエノ［３，２−ｂ］ピリジン−５−イル）−（Ｅ）−エテニル）フェニル）−３−（２−（１−ヒドロキシ−１−メチレチル）フェニル）プロピル）チオ）メチル）シクロプロパン−酢酸、
・［２−［［２−（４−ｔ−ブチル−２−チアゾリル）−５−ベンゾフラニル］オキシメチル］フェニル］酢酸の中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。ＬＴＤ４−拮抗薬がオプションとして形成できる塩又はその誘導体は、例えば、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートを意味している。
【０２４１】
使用できるＥＧＦＲ−阻害薬は、好ましくは、セツキマブ（cetuximab ）、トラスツズマブ（trastuzumab ）、ＡＢＸ−ＥＧＦ、マブ（Ｍａｂ）ＩＣＲ−６２、及び
・４−［（３−クロロ−４−フルオロフェニル）アミノ］−６−｛［４−（モルフォリン−４−イル）−１−オキソ−２−ブテン−１−イル］アミノ｝−７−シクロプロピルメトキシ−キナゾリン、
・４−［（３−クロロ−４−フルオロフェニル）アミノ］−６−｛［４−（Ｎ，Ｎ−ジエチルアミノ）−１−オキソ−２−ブテン−１−イル］アミノ｝−７−シクロプロピルメトキシ−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−シクロプロピルメトキシ−キナゾリン、
・４−［（Ｒ）−（１−フェニル−エチル）アミノ］−６−｛［４−（モルフォリン−４−イル）−１−オキソ−２−ブテン−１−イル］アミノ｝−７−シクロペンチルオキシ−キナゾリン、
・４−［（３−クロロ−４−フルオロ−フェニル）アミノ］−６−｛（（Ｒ）−６−メチル−２−オキソ−モルフォリン−４−イル）−１−オキソ−２−ブテン−１−イル］アミノ｝−７−シクロプロピルメトキシ−キナゾリン、
・４−［（３−クロロ−４−フルオロ−フェニル）アミノ］−６−｛［４−（（Ｒ）−６−メチル−２−オキソ−モルフォリン−４−イル）−１−オキソ−２−ブテン−１−イル］アミノ｝−７−［（Ｓ）−（テトラヒドロフラン−３−イル）オキシ］−キナゾリン、
・４−［（３−クロロ−４−フルオロ−フェニル）アミノ］−６−｛［４−（（Ｒ）−２−メトキシメチル−６−オキソ−モルフォリン−４−イル）−１−オキソ−２−ブテン−１−イル］アミノ｝−７−シクロプロピルメトキシ−キナゾリン、
・４−［（３−クロロ−４−フルオロ−フェニル）アミノ］−６−［２−（（Ｓ）−６−メチル−２−オキソ−モルフォリン−４−イル）−エトキシ］−７−メトキシ−キナゾリン、
・４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル］アミノ）−７−シクロプロピルメトキシ−キナゾリン、
・４−［（３−クロロ−４−フルオロフェニル）アミノ］−６−（｛４−［Ｎ，Ｎ−ジメチルアミノ］−１−オキソ−２−ブテン−１−イル｝アミノ）−７−シクロペンチルオキシ−キナゾリン、
・４−［（Ｒ）−（１−フェニル−エチル）アミノ］−６−（｛４−［Ｎ，Ｎ−ビス（−（２−メトキシ−エチル）−アミノ）−１−オキソ−２−ブテン−１−イル］アミノ｝−７−シクロプロピルメトキシ−キナゾリン、
・４−［（Ｒ）−（１−フェニル−エチル）アミノ］−６−（｛４−［Ｎ−（２−メトキシ−エチル）−Ｎ−メチル−アミノ］−１−オキソ−２−ブテン−１−イル｝アミノ）−７−シクロプロピルメトキシ−キナゾリン、
・４−［（Ｒ）−（１−フェニル−エチル）アミノ］−６−（｛４−［Ｎ−（２−メトキシ−エチル）−Ｎ−メチル−アミノ）−１−オキソ−２−ブテン−１−イル｝アミノ）−７−シクロプロピルメトキシ−キナゾリン、
・４−［（Ｒ）−（１−フェニル−エチル）アミノ］−６−（｛４−［Ｎ−（テトラヒドロピラン−４−イル）−Ｎ−メチル−アミノ］−１−オキソ−２−ブテン−１−イル｝アミノ）−７−シクロプロピルメトキシ−キナゾリン、
・４−［（３−クロロ−４−フルオロフェニル）アミノ］−６−（｛４−［Ｎ，Ｎ−ジメチルアミノ］−１−オキソ−２−ブテン−１−イル］アミノ｝−７−（（Ｒ）−テトラヒドロフラン−３−イルオキシ］−キナゾリン、
・４−［（３−クロロ−４−フルオロフェニル）アミノ］−６−（｛４−［Ｎ，Ｎ−ジメチルアミノ］−１−オキソ−２−ブテン−１−イル］アミノ｝−７−（（Ｓ）−テトラヒドロフラン−３−イルオキシ］−キナゾリン、
・４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロペンチルオキシ−キナゾリン、
・４−［（３−クロロ−４−フルオロフェニル）アミノ］−６−（｛４−（Ｎ−シクロプロピル−Ｎ−メチル−アミノ）−１−オキソ−２−ブテン−１−イル］アミノ｝−７−シクロペンチルロキシ−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｒ）−（テトラヒドロフラン−２−イル）メトキシ］−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｓ）−（テトラヒドロフラン−２−イル）メトキシ］−キナゾリン、
・４−［（３−エチニル−フェニル）アミノ］−６，７−ビス−（２−メトキシ−エトキシ）−キナゾリン、
・４−［（３−クロロ−４−フルオロフェニル）アミノ］−７−モルフォリン−４−イル）−プロピルオキシ］−６−［ビニルカルボニル）アミノ］キナゾリン、
・４−［（Ｒ）−（１−フェニル−エチル）アミノ］−６−（４−ヒドロキシ−フェニル）−７Ｈ−ピロロ［２，３−ｄ］ピリミジン、
・３−シアノ−４−［（３−クロロ−４−フルオロフェニル）アミノ］−６−｛［４−（Ｎ，Ｎ−ジメチルアミノ）−１−オキソ−２−ブテン−１−イル］アミノ｝−７−エトキシ−キノリン、
・４−｛［（３−クロロ−４−（３−フルオロ−ベンジルオキシ）−フェニル］アミノ｝−６−（５−｛［２−メタンスルホニル−エチル）アミノ］メチル｝−フラン−２−イル）キナゾリン、
・４−［（Ｒ）−（１−フェニル−エチル）アミノ］−６−｛［４−（（Ｒ）−６−メチル−２−オキソ−モルフォリン−４−イル）−１−オキソ−２−ブテン−１−イル］アミノ｝−７−メトキシ−キナゾリン、
・４−［（３−クロロ−４−フルオロフェニル）アミノ］−６−｛［４−（モルフォリン−４−イル）−１−オキソ−２−ブテン−１−イル］アミノ｝−７−［（テトラヒドロフラン−２−イル）メトキシ］−キナゾリン、
・４−［（３−クロロ−４−フルオロフェニル）アミノ］−６−（｛４−［Ｎ，Ｎ−ビス−（２−メトキシ−エチル）−アミノ］−１−オキソ−２−ブテン−１−イル｝アミノ）−７−［テトラヒドロフラン−２−イル）メトキシ］−キナゾリン、
・４−［（３−エチニル−フェニル）アミノ］−６−｛［４−（５，５−ジメチル−２−オキソ−モルフォリン−４−イル）−１−オキソ−２−ブテン−１−イル］アミノ｝−キナゾリン、
・４−［（３−クロロ−４−フルオロ−フェニル）アミノ］−６−［２−（２，２−ジメチル−６−オキソ−モルフォリン−４−イル）エトキシ］−７−メトキシ−キナゾリン、
・４−［（３−クロロ−４−フルオロ−フェニル）アミノ］−６−［２−（２，２−ジメチル−６−オキソ−モルフォリン−４−イル）エトキシ］−７−［（Ｒ）−（テトラヒドロフラン−２−イル）メトキシ］−キナゾリン、
・４−［（３−クロロ−４−フルオロ−フェニル）アミノ］−７−［２−（２，２−ジメチル−６−オキソ−モルフォリン−４−イル）エトキシ］−６−［（Ｓ）−（テトラヒドロフラン−２−イル）メトキシ］−キナゾリン、
・４−［（３−クロロ−４−フルオロ−フェニル）アミノ］−６−｛２−［４−（２−オキソ−モルフォリン−４−イル）−ピペリジン−１−イル］−エトキシ｝−７−メトキシ−キナゾリン、
・４−［（３−クロロ−４−フルオロ−フェニル）アミノ］−６−［１−（ｔ−ブチルオキシカルボニル）−ピペリジン−４−イルオキシ］−７−メトキシ−キナゾリン、
・４−［（３−クロロ−４−フルオロ−フェニル）アミノ］−６−（トランス−４−アミノ−シクロヘキサン−１−イルオキシ）−７−メトキシ−キナゾリン、
・４−［（３−クロロ−４−フルオロ−フェニル）アミノ］−６−（トランス−４−メタンスルホニルアミノ−シクロヘキサン−１−イルオキシ）−７−メトキシ−キナゾリン、
・４−［（３−クロロ−４−フルオロ−フェニル）アミノ］−６−（テトラヒドロピラン−３−イルオキシ）−７−メトキシ−キナゾリン、
・４−［（３−クロロ−４−フルオロ−フェニル）アミノ］−６−（１−メチル−ピペリジン−４−イルオキシ］−７−メトキシ−キナゾリン、
・４−［（３−クロロ−４−フルオロ−フェニル）アミノ］−６−｛１−［（モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（メトキシメチル）カルボニル］−ピペリジン−４−イルオキシ｝−７−メトキシ−キナゾリン、
・４−［（３−クロロ−４−フルオロ−フェニル）アミノ］−６−（ピペリジン−３−イルオキシ）−７−メトキシ−キナゾリン、
・４−［（３−クロロ−４−フルオロ−フェニル）アミノ］−６−［１−（２−アセチルアミノ−エチル）−ピペリジン−４−イルオキシ］−７−メトキシ−キナゾリン、
・４−［（３−クロロ−４−フルオロ−フェニル）アミノ］−６−（テトラヒドロピラン−４−イルオキシ）−７−エトキシ−キナゾリン、
・４−［（３−クロロ−４−フルオロ−フェニル）アミノ］−６−（（Ｓ）−テトラヒドロピラン−３−イルオキシ）−７−ヒドロキシ−キナゾリン、
・４−［（３−クロロ−４−フルオロ−フェニル）アミノ］−６−（テトラヒドロピラン−４−イルオキシ）−７−（２−メトキシ−エトキシ）−キナゾリン、
・４−［（３−クロロ−４−フルオロ−フェニル）アミノ］−６−｛トランス−４［（ジメチルアミノ）スルホニルアミノ］−シクロヘキサン−１−イルオキシ｝−７−メトキシ−キナゾリン、
・４−［（３−クロロ−４−フルオロ−フェニル）アミノ］−６−｛トランス−４−［（モルフォリン−４−イル）カルボニルアミノ］−シクロヘキサン−１−イルオキシ｝−７−メトキシ−キナゾリン、
・４−［（３−クロロ−４−フルオロ−フェニル）アミノ］−６−｛トランス−４−［（モルフォリン−４−イル）スルホニルアミノ］−シクロヘキサン−１−イルオキシ｝−７−メトキシ−キナゾリン、
・４−［（３−クロロ−４−フルオロ−フェニル）アミノ］−６−（テトラヒドロピラン−４−イルオキシ）−７−（２−アセチルアミノ−エトキシ）−キナゾリン、
・４−［（３−クロロ−４−フルオロ−フェニル）アミノ］−６−（テトラヒドロフラン−４−イルオキシ）−７−（２−メタンスルホニルアミノ−エトキシ）−キナゾリン、
・４−［（３−クロロ−４−フルオロ−フェニル）アミノ］−６−｛１−［（ピペリジン−１−イル）カルボニル］−ピペリジン−４−イルオキシ｝−７−メトキシ−キナゾリン、
・４−［（３−クロロ−４−フルオロ−フェニル）アミノ］−６−（１−アミノカルボニルメチル−ピペリジン−４−イルオキシ）−７−メトキシ−キナゾリン、
・４−［（３−クロロ−４−フルオロ−フェニル）アミノ］−６−（シス−４−｛Ｎ［（テトラヒドロピラン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（モルフォリン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（モルフォリン−４−イル）スルホニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（トランス−４−エタンスルホニルアミノ−シクロヘキサン−１−イルオキシ）−７−メトキシ−キナゾリン、
・４−［（３−クロロ−４−フルオロ−フェニル）アミノ］−６−（１−メタンスルホニル−ピペリジン−４−イルオキシ｝−７−エトキシ−キナゾリン、
・４−［（３−クロロ−４−フルオロ−フェニル）アミノ］−６−（１−メタンスルホニル−ピペリジン−４−イルオキシ）−７−（２−メトキシ−エトキシ）−キナゾリン、
・４−［（３−クロロ−４−フルオロ−フェニル）アミノ］−６−［１−（２−メトキシ−アセチル）−ピペリジン−４−イルオキシ］−７−（２−メトキシ−エトキシ）−キナゾリン、
・４−［（３−クロロ−４−フルオロ−フェニル）アミノ］−６−（シス−４−アセチルアミノ−シクロヘキサン−１−イルオキシ］−７−メトキシ−キナゾリン、
・４−［（３−エチニル−４−フェニル）アミノ］−６−［１−（ｔ−ブチルオキシカルボニル）−ピペリジン−４−イルオキシ］−７−メトキシ−キナゾリン、
・４−［（３−エチニル−フェニル）アミノ］−６−（テトラヒドロピラン−４−イルオキシ］−７−メトキシ−キナゾリン、
・４−［（３−クロロ−４−フルオロ−フェニル）アミノ］−６−（シス−４−｛Ｎ−［（ピペリジン−１−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（４−メチル−ピペリジン−１−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−｛シス−４−［（モルフォリン−４−イル）カルボニルアミノ］−シクロヘキサン−１−イルオキシ｝−７−メトキシ−キナゾリン、
・４−［（３−クロロ−４−フルオロ−フェニル）アミノ］−６−｛１−［２−（２−オキソピロリジン−１−イル）エチル］−ピペリジン−４−イルオキシ｝−７−メトキシ−キナゾリン、
・４−［（３−クロロ−４−フルオロ−フェニル）アミノ］−６−｛１−［（モルフォリン−４−イル）カルボニル］−ピペリジン−４−イルオキシ｝−７−（２−メトキシ−エトキシ）−キナゾリン、
・４−［（３−エチニル−フェニル）アミノ］−６−（１−アセチル−ピペリジン−４−イルオキシ）−７−メトキシ−キナゾリン、
・４−［（３−エチニル−フェニル）アミノ］−６−（１−メチル−ピペリジン−４−イルオキシ）−７−メトキシ−キナゾリン、
・４−［（３−エチニル−フェニル）アミノ］−６−（１−メタンスルホニル−ピペリジン−４−イルオキシ）−７−メトキシ−キナゾリン、
・４−［（３−クロロ−４−フルオロ−フェニル）アミノ］−６−（１−メチル−ピペリジン−４−イルオキシ）−７（２−メトキシ−エトキシ）−キナゾリン、
・４−［（３−クロロ−４−フルオロ−フェニル）アミノ］−６−（１−イソプロピルオキシカルボニル−ピペリジン−４−イルオキシ）−７−メトキシ−キナゾリン、
・４−［（３−クロロ−４−フルオロ−フェニル）アミノ］−６−（シス−４−メチルアミノ−シクロヘキサン−１−イルオキシ）−７−メトキシ−キナゾリン、
・４−［（３−クロロ−４−フルオロ−フェニル）アミノ］−６−（シス−４−［Ｎ−（２−メトキシ−アセチル）−Ｎ−メチル−アミノ］−シクロヘキサン−１−イルオキシ｝−７−メトキシ−キナゾリン、
・４−［（３−エチニル−フェニル）アミノ］−６−（ピペリジン−４−イルオキシ）−７−メトキシ−キナゾリン、
・４−［（３−エチニル−フェニル）アミノ］−６−［１−（２−メトキシ−アセチル）−ピペリジン−４−イルオキシ）−７−メトキシ−キナゾリン、
・４−［（３−エチニル−フェニル）アミノ］−６−｛１−［（モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（シス−２，６−ジメチル−モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（２−メチル−モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（Ｓ，Ｓ）−（２−オキサ−５−アザ−ビシクロ［２．２．１］ヘプト−５−イル）カルボニル］−ピペリジン−４−イルオキシ｝−７−メトキシ−キナゾリン、
・４−［（３−クロロ−４−フルオロ−フェニル）アミノ］−６−｛１−［Ｎ−メチル−Ｎ−２−メトキシエチル−アミノ］カルボニル］−ピペリジン−４−イルオキシ｝−７−メトキシ−キナゾリン、
・４−［（３−クロロ−４−フルオロ−フェニル）アミノ］−６−（１−エチル−ピペリジン−４−イルオキシ）−７−メトキシ−キナゾリン、
・４−［（３−クロロ−４−フルオロ−フェニル）アミノ］−６−｛１−［（２−メトキシエチル）カルボニル］−ピペリジン−４−イルオキシ｝−７−メトキシ−キナゾリン、
・４−［（３−クロロ−４−フルオロ−フェニル）アミノ］−６−｛１−［（３−メトキシプロピル−アミノ）−カルボニル］−ピペリジン−４−イルオキシ｝−７−メトキシ−キナゾリン、
・４−［（３−クロロ−４−フルオロ−フェニル）アミノ］−６−［シス−４−（Ｎ−メタンスルホニル−Ｎ−メチル−アミノ）−シクロヘキサン−１−イルオキシ］−７−メトキシ−キナゾリン、
・４−［（３−クロロ−４−フルオロ−フェニル）アミノ］−６−［シス−４−（Ｎ−アセチル−Ｎ−メチル−アミノ）−シクロヘキサン−１−イルオキシ］−７−メトキシ−キナゾリン、
・４−［（３−クロロ−４−フルオロ−フェニル）アミノ］−６−（トランス−４−メチルアミノ−シクロヘキサン−１−イルオキシ）−７−メトキシ−キナゾリン、
・４−［（３−クロロ−４−フルオロ−フェニル）アミノ］−６−［トランス−４−（Ｎ−メタンスルホニル−Ｎ−メチル−アミノ）−シクロヘキサン−１−イルオキシ］−７−メトキシ−キナゾリン、
・４−［（３−クロロ−４−フルオロ−フェニル）アミノ］−６−（トランス−４−ジメチルアミノ−シクロヘキサン−１−イルオキシ）−７−メトキシ−キナゾリン、
・４−［（３−クロロ−４−フルオロ−フェニル）アミノ］−６−（トランス−４−｛Ｎ−［（モルフォリン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−［２−（２，２−ジメチル−６−オキソ−モルフォリン−４−イル）−エトキシ］−７−［（Ｓ）−（テトラヒドロフラン−２−イル）メトキシ］−キナゾリン、
・４−［（３−クロロ−４−フルオロ−フェニル）アミノ］−６−（１−メタンスルホニル−ピペリジン−４−イルオキシ）−７−メトキシ−キナゾリン、
・４−［（３−クロロ−４−フルオロ−フェニル）アミノ］−６−（１−シアノ−ピペリジン−４−イルオキシ）−７−メトキシ−キナゾリンの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【０２４２】
用いられるドーパミン作用薬は、好ましくは、ブロモクリプチン（bromocriptine）、カベルゴリン（cabergoline）、アルファ−ジヒドロエルゴクリプチン（alpha-dihydroergocryptine）、リスリド（lisuride）、ペルゴリド（pergolide）、プラミペクソール（pramipexole）、ロキシンドール（roxindole）、ロピニロール（ropinirole）、タリペクソール（talipexole）、テルグリド（terguride）、ビオザン（viozane）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【０２４３】
使用できるＨ１−抗ヒスタミン薬は、好ましくは、エピナスチン（epinastine）、セチリジン（Cetirizine）、アゼラスチン（azelastine）、フェクソフェンダジン（fexofenadine）、レボカバスチン（levocabastine）、ロラタジン（loratadine）、ミゾラスチン（mizolastine）、ケトチフェン（Ketotifene）、エメダスチン（emedastine）、ジメチンデン（dimetindene）、クレマスチン（Clemastine）、バミピン（Bamipine）、セクスクロルフェニラミン（Cexchlorpheniramine）、フェニラミン（pheniramine）、ドキシルアミン（doxylamine）、クロロフェノキサミン（Chlorophenoxamine ）、ジメンヒドリネート（dimenhydrinate）、ジフェンヒドラミン（diphenhydramine）、プロメタジン（promethazine）、エバスチン（ebastine）、デスロラチジン（desloratidine）、メクロジン（meclozine）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【０２４４】
また、欧州特許出願公開第１，００３，４７８（Ａ１）号明細書及びカナダ国特許出願公開第２２９７１７４（Ａ１）号明細書に開示されている吸入可能な高分子を使用することが可能である。
【０２４５】
さらに、化合物は、バッカクアルカロイド誘導体、トリプタン、ＣＧＲＰ−拮抗薬、ホスホジエストラーゼ−Ｖ阻害薬から成る群に由来するものであるのが良く、オプションとしてこれら化合物のラセミ化合物、エナンチオマー又はジアステレオマー及びオプションとして上記化合物の薬理学的に容認できる酸添加塩、溶媒化合物及び（又は）水和物である。
【０２４６】
バッカクアルカロイド誘導体の例は、ジヒドロエルゴタミン及びエルゴタミンである。
【図面の簡単な説明】
【０２４７】
【図１】好ましい実施形態としての吸入器の概略分解組立て図である。
【図２】図１の吸入器の細部の概略断面図である。
【図３ａ】図１の吸入器のキャリヤの斜視図である。
【図３ｂ】図３ａのキャリヤの開口部の略図である。
【図３ｃ】図３ｂの詳細部の概略断面図である。
【図３ｄ】別の実施形態の略図である。
【図３ｅ】別の実施形態の略図である。
【図３ｆ】図３ｅの詳細部の概略断面図である。
【図３ｇ】別の実施形態の詳細部の概略断面図である。
【図４ａ】別の実施形態としての吸入器の略図である。
【図４ｂ】図４の吸入器の詳細部の概略断面図である。
【図５ａ】別の実施形態としての吸入器のキャリヤの略図である。
【図５ｂ】図５ａの概略拡大図である。
【図５ｃ】図５ａのキャリヤを備えた吸入器の概略断面又は側面図である。
【図６ａ】別の実施形態としての吸入器の概略部分切除図である。
【図６ｂ】図６ａの吸入器の詳細部の概略断面図である。
【図６ｃ】図ａの吸入器の概略横方向機能図である。
【図７ａ】非使用位置にある別の実施形態としての吸入器の概略断面図である。
【図７ｂ】中間位置にある図７ａの吸入器の概略断面図である。
【図７ｃ】使用位置にある図７ａの吸入器の概略断面図である。
【図８ａ】別の実施形態としての吸入器の概略断面図である。
【図８ｂ】図８ａの吸入器の概略断面図である。
【図８ｃ】図８ａの吸入器の別の概略断面図である。
【図９】別の実施形態としての吸入器の概略断面図である。
【図１０ａ】別の実施形態としての吸入器のキャリヤの略図である。
【図１０ｂ】別の実施形態としての吸入器のキャリヤの断面図である。
【図１１】別の実施形態としての吸入器の略図である。
【図１２】吸入器から取り外された状態の図１１の吸入器の案内要素及びカプセルチャンバの略図である。
【図１３】図１１の吸入器の詳細断面図である。
【図１４ａ】カプセルチャンバが開放状態にある別の実施形態としての吸入器の概略断面図である。
【図１４ｂ】カプセルチャンバが閉鎖状態にある図１４ａの吸入器の概略断面図である。
【図１４ｃ】カプセルチャンバが閉鎖状態にある別の実施形態としての吸入器の概略断面図である。
【図１４ｄ】図１４ｃの開放状態の吸入器の斜視図である。
【図１５ａ】カプセルチャンバが開放した状態の図１４ａの吸入器の充填装置及びカプセルチャンバの略図である。
【図１５ｂ】カプセルチャンバが閉鎖された状態の図１４ａの吸入器の充填装置及びカプセルチャンバの略図である。
【図１５ｃ】図１４ａの吸入器の開放装置又はカプセルチャンバの一部の略図である。
【図１６ａ】カプセルチャンバが開放した状態の図１４ａの吸入器の概略詳細断面図である。
【図１６ｂ】カプセルチャンバ閉鎖された状態の図１４ａの吸入器の概略詳細断面図である。
【図１７ａ】別の実施形態としての吸入器の閉鎖状態のカプセルチャンバの略図である。
【図１７ｂ】開放状態にある図１７ｂの吸入器のカプセルチャンバの略図である。
【図１８】別の実施形態としての吸入器の全体的構造を示す略図である。
【図１９】別の実施形態としての吸入器の全体的構造を示す図である。
【図２０】図１９の吸入器の概略断面図である。
【図２１】運搬又は吸入状態にある別の実施形態としての吸入器の図である。
【図２２】作動中における中間段階にある図２１の吸入器の図である。
【図２３】運搬又は吸入状態にある図２１の吸入器の詳細断面機能図である。
【図２４】初期回転中における図２１の吸入器の詳細断面機能図である。
【図２５】次の回転中における図２１の吸入器の詳細断面機能図である。
【図２６】９０°回転させた後の図２１の吸入器の詳細断面機能図である。
【図２７】回転運動が完了する直前の図２９の吸入器の詳細断面機能図である。
【図２８】別の実施形態としての吸入器の内部の略図である。
【図２９】別の実施形態としての吸入器の略図である。
【図３０】図２９の吸入器の概略部分断面図である。
【図３１】図２９の吸入器の別の概略部分断面図である。
【図３２】別の実施形態としての吸入器の概略断面構造を示す図である。
【図３３】別の実施形態としての吸入器の全体的構造を示す図である。
【図３４】別の実施形態としての吸入器の概略断面図である。
【図３５】図３４の吸入器の別の断面図である。
【図３６】別の実施形態としての吸入器の概略断面図である。
【図３７ａ】第１の状態にある図３６の吸入器の詳細概略断面図である。
【図３７ｂ】第２の状態にある図３６の吸入器の詳細概略断面図である。
【図３７ｃ】第３の状態にある図３６の吸入器の詳細概略断面図である。
【図３８ａ】別の実施形態としての吸入器の概略断面図である。
【図３８ｂ】図３８ａの吸入器のカプセルチャンバの概略断面図である。
【図３８ｃ】図３８ａの吸入器の詳細断面図である。
【図３９】別の実施形態としての吸入器のリザーバの概略断面構造を示す図である。
【図４０】別の実施形態としての吸入器のリザーバの概略断面構造を示す図である。
【図４１】別の実施形態としての吸入器のリザーバの概略断面構造を示す図である。
【図４２】別の実施形態としての吸入器のリザーバの概略断面構造を示す図である。
【図４３】別の実施形態としての吸入器のキャリヤ又はカプセルチャンバの概略断面図である。
【図４４】別の実施形態としての吸入器の概略断面図である。
【図４５】第１の状態にある別の実施形態としての吸入器の概略断面図である。
【図４６】第２の状態にある別の実施形態としての吸入器の概略断面図である。
【符号の説明】
【０２４８】
１  吸入器
２  調合薬
３  カプセル
４  カプセルチャンバ
５  開放又は開封装置
６  穿通要素
６ａ  追加の穿通要素
７  穿通開口部
８  入口
９  出口
１０  マウスピース
１１  キャリヤ
１２  カバー
１２ａ  カバーの一部分
１３  格子
１４  下側ハウジング部品
１５  上側ハウジング部品
１６  連結部材
１７  ばね（連結部材）
１８  インサート
１８ａ  第１のローラ
１８ｂ  第２のローラ
１８ｃ  リング
１８ｄ  開放要素
１８ｅ  収集容器
１８ｆ  溝
１８ｇ  スライダ
１８ｈ  突出部
１８ｉ  カム
１９  インサート
２０  案内
２０ａ  軌道
２１  案内要素
２１ａ  係合要素
２２  テーパ
２３  第１の受け入れチャンバ
２４  第２の受け入れチャンバ
２５  充填装置
２５ａ  運搬要素
２６  カプセルチャンバの一部分
２７  機構体
２８  制御スライダ
２９  ピボット運動装置
２９ａ  太陽歯車
２９ｂ  歯車
３０  ピボット軸線
３１  カプセルリザーバ
３２  クリーニング装置
３３  受け器
３４  運搬装置
３５  制御スリーブ
３６  伝動装置
３７  位置決めホイール
３８  案内
３９  プッシュロッド
４０  リセット要素
４１  駆動ホイール
４２  仕切り壁
４３  覆いキャップ
４４  ストリップ
４５  チャネル
４６  カウンタ
４７  リング／セグメント
４８  ブリスタパウチ
４９  ばね（ハウジング）
４９ａ  スパイク
５０  係合フック
５１  歯車リム
５２  係止爪
５３  作動要素
５４  ゲート
５５  開口部
５６  ばね（ゲート）
５７  シャッタ
５８  保持装置
５９  アーム
６０  ピン
６１  ストッパ
６２  戻しばね
６３  チャンバ
【図１】
0005581691.tif 000006
【図２】
0005581691.tif 000007
【図３ａ】
0005581691.tif 000008
【図３ｂ】
0005581691.tif 000009
【図３ｃ】
0005581691.tif 000010
【図３ｄ】
0005581691.tif 000011
【図３ｅ】
0005581691.tif 000012
【図３ｆ】
0005581691.tif 000013
【図３ｇ】
0005581691.tif 000014
【図４ａ】
0005581691.tif 000015
【図４ｂ】
0005581691.tif 000016
【図５ａ−５ｂ】
0005581691.tif 000017
【図５ｃ】
0005581691.tif 000018
【図６ａ】
0005581691.tif 000019
【図６ｂ】
0005581691.tif 000020
【図６ｃ】
0005581691.tif 000021
【図７ａ】
0005581691.tif 000022
【図７ｂ】
0005581691.tif 000023
【図７ｃ】
0005581691.tif 000024
【図８ａ】
0005581691.tif 000025
【図８ｂ】
0005581691.tif 000026
【図８ｃ】
0005581691.tif 000027
【図９】
0005581691.tif 000028
【図１０ａ】
0005581691.tif 000029
【図１０ｂ】
0005581691.tif 000030
【図１１】
0005581691.tif 000031
【図１２】
0005581691.tif 000032
【図１３】
0005581691.tif 000033
【図１４ａ】
0005581691.tif 000034
【図１４ｂ】
0005581691.tif 000035
【図１４ｃ】
0005581691.tif 000036
【図１４ｄ】
0005581691.tif 000037
【図１５ａ】
0005581691.tif 000038
【図１５ｂ】
0005581691.tif 000039
【図１５ｃ】
0005581691.tif 000040
【図１６ａ】
0005581691.tif 000041
【図１６ｂ】
0005581691.tif 000042
【図１７ａ】
0005581691.tif 000043
【図１７ｂ】
0005581691.tif 000044
【図１８】
0005581691.tif 000045
【図１９】
0005581691.tif 000046
【図２０】
0005581691.tif 000047
【図２１】
0005581691.tif 000048
【図２２】
0005581691.tif 000049
【図２３】
0005581691.tif 000050
【図２４】
0005581691.tif 000051
【図２５】
0005581691.tif 000052
【図２６】
0005581691.tif 000053
【図２７】
0005581691.tif 000054
【図２８】
0005581691.tif 000055
【図２９】
0005581691.tif 000056
【図３０】
0005581691.tif 000057
【図３１】
0005581691.tif 000058
【図３２】
0005581691.tif 000059
【図３３】
0005581691.tif 000060
【図３４】
0005581691.tif 000061
【図３５】
0005581691.tif 000062
【図３６】
0005581691.tif 000063
【図３７ａ】
0005581691.tif 000064
【図３７ｂ】
0005581691.tif 000065
【図３７ｃ】
0005581691.tif 000066
【図３８ａ】
0005581691.tif 000067
【図３８ｂ】
0005581691.tif 000068
【図３８ｃ】
0005581691.tif 000069
【図３９】
0005581691.tif 000070
【図４０】
0005581691.tif 000071
【図４１】
0005581691.tif 000072
【図４２】
0005581691.tif 000073
【図４３】
0005581691.tif 000074
【図４４】
0005581691.tif 000075
【図４５】
0005581691.tif 000076
【図４６】
0005581691.tif 000077